(57)【要約】  本願の実施例は、通信方法及びデバイスに関し、該方法は、端末デバイスが目標グループを決定することと、前記端末デバイスが前記目標グループに参加して、ネットワーク側と通信することとを含む。本願の実施例に係る通信方法及びデバイスは、ネットワークの精細な管理を実現することができる。
2021535683.tif 000002
【特許請求の範囲】
【請求項１】
端末デバイスが目標グループを決定することと、
前記端末デバイスが前記目標グループに参加して、ネットワーク側と通信することとを含む
ことを特徴とする通信方法。
【請求項２】
前記端末デバイスが目標グループを決定することは、
前記端末デバイスが少なくとも１つのグループの属性情報に基づいて、前記少なくとも１つのグループから前記目標グループを決定することを含む
ことを特徴とする請求項１に記載の通信方法。
【請求項３】
前記属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む
ことを特徴とする請求項２に記載の通信方法。
【請求項４】
前記端末デバイスが目標グループを決定することは、
前記端末デバイスがネットワークデバイスにより送信された、前記目標グループを示すための指示情報を受信することを含む
ことを特徴とする請求項１に記載の通信方法。
【請求項５】
前記端末デバイスが目標グループを決定することは、
前記端末デバイスが前記端末デバイスのメンバーグループを決定することと、
前記端末デバイスが前記メンバーグループから前記目標グループを決定することとを含む
ことを特徴とする請求項１〜４のいずれか１項に記載の通信方法。
【請求項６】
前記端末デバイスが前記端末デバイスのメンバーグループを決定することは、
前記端末デバイスが、前記端末デバイスが要求するグループの属性情報が含まれる第１の要求メッセージをネットワークデバイスに送信することと、
前記端末デバイスが前記ネットワークデバイスにより送信された、前記メンバーグループの属性情報が含まれる第１の構成メッセージを受信することと、
前記メンバーグループの属性情報に基づいて、前記端末デバイスが前記メンバーグループを決定することとを含む
ことを特徴とする請求項５に記載の通信方法。
【請求項７】
前記端末デバイスが目標グループを決定することは、
前記端末デバイスがネットワークデバイスにより送信された、既存グループの属性情報が含まれる第１の情報を受信することと、
前記既存グループの属性情報に基づいて、前記端末デバイスが前記既存グループを決定することと、
前記端末デバイスが前記既存グループから前記目標グループを決定することとを含む
ことを特徴とする請求項１〜６のいずれか１項に記載の通信方法。
【請求項８】
前記端末デバイスがネットワークデバイスにより送信された第１の情報を受信する前に、前記方法は、さらに、
前記端末デバイスが前記ネットワークデバイスに第２の要求メッセージを送信することを含み、前記第２の要求メッセージは、前記ネットワークデバイスが前記既存グループを提供するように要求するために使用される
ことを特徴とする請求項７に記載の通信方法。
【請求項９】
前記端末デバイスがネットワークデバイスにより送信された第１の情報を受信する前に、前記方法は、さらに、
前記端末デバイスが前記ネットワークデバイスに第３の要求メッセージを送信することを含み、前記第３の要求メッセージに前記端末デバイスが要求する前記ネットワークデバイスが提供するグループの属性情報が含まれる
ことを特徴とする請求項７に記載の通信方法。
【請求項１０】
前記端末デバイスが目標グループを決定することは、
前記端末デバイスがネットワークデバイスに第４の要求メッセージを送信し、前記第４の要求メッセージに前記端末デバイスが参加を希望するグループの属性情報が含まれることと、
前記端末デバイスが前記ネットワークデバイスにより送信された、前記目標グループの属性情報が含まれる第１のフィードバック情報を受信することと、
前記目標グループの属性情報に基づいて、前記端末デバイスが前記目標グループを決定することとを含む
ことを特徴とする請求項１〜９のいずれか１項に記載の通信方法。
【請求項１１】
前記端末デバイスが目標グループを決定することは、
前記端末デバイスがネットワークデバイスにより送信された第２の情報を受信し、前記第２の情報に第１のデバイスが希望する前記端末デバイスが参加するグループの属性情報が含まれることと、
前記第１のデバイスが希望する前記端末デバイスが参加するグループの属性情報に基づいて、前記端末デバイスが前記第１のデバイスの希望する前記端末デバイスの参加するグループを決定することと、
前記第１のデバイスが希望する前記端末デバイスが参加するグループから、前記端末デバイスが前記目標グループを決定することとを含む
ことを特徴とする請求項１〜１０のいずれか１項に記載の通信方法。
【請求項１２】
前記方法は、さらに、
前記端末デバイスが前記目標グループの識別子情報が含まれるフィードバック情報を前記ネットワークデバイスに送信することを含む
ことを特徴とする請求項１１に記載の通信方法。
【請求項１３】
前記第１のデバイスがグループの管理者又は作成者である
ことを特徴とする請求項１１又は１２に記載の通信方法。
【請求項１４】
前記端末デバイスが目標グループを決定することは、
前記端末デバイスが第２の構成メッセージに基づいて、ネットワークデバイスがサポートするグループを決定し、前記第２の構成メッセージが前記ネットワークデバイスにより前記端末デバイスに送信され、又は、前記端末デバイスに予め構成されることと、
前記端末デバイスが前記ネットワークデバイスがサポートするグループから前記目標グループを決定することとを含む
ことを特徴とする請求項１〜１３のいずれか１項に記載の通信方法。
【請求項１５】
前記端末デバイスが前記目標グループに参加することは、
前記端末デバイスがネットワークデバイスに参加情報を送信し、前記参加情報が前記目標グループの参加を要求するために使用され、前記参加情報に前記端末デバイスの識別子情報及び前記目標グループの属性情報が含まれることと、
前記端末デバイスが前記ネットワークデバイスが前記参加情報に対する第２のフィードバック情報を受信することとを含む
ことを特徴とする請求項１〜１４のいずれか１項に記載の通信方法。
【請求項１６】
前記端末デバイスが前記目標グループに参加することは、
前記端末デバイスが前記目標グループに基づいてセッション接続を確立することを含む
ことを特徴とする請求項１〜１４のいずれか１項に記載の通信方法。
【請求項１７】
前記方法は、さらに、
前記端末デバイスがネットワークデバイスにより送信された第３の情報を受信し、前記第３の情報に前記端末デバイスが離脱する前記目標グループの属性情報が含まれることと、
前記目標グループの属性情報に基づいて、前記端末デバイスが前記目標グループから離脱するかどうかを決定することとを含む
ことを特徴とする請求項１〜１６のいずれか１項に記載の通信方法。
【請求項１８】
前記端末デバイスがネットワークデバイスにより送信された第３の情報を受信する前に、前記方法は、さらに、
前記端末デバイスが前記ネットワークデバイスに第５の要求メッセージを送信することを含み、前記第５の要求メッセージに前記端末デバイスが離脱を要求する前記目標グループの識別子情報が含まれる
ことを特徴とする請求項１７に記載の通信方法。
【請求項１９】
前記方法は、さらに、
前記端末デバイスが前記目標グループから離脱しない場合、前記端末デバイスが前記ネットワークデバイスに第２のフィードバック情報を送信することを含み、前記第２のフィードバック情報に前記端末デバイスが離脱しない目標グループの属性情報が含まれる
ことを特徴とする請求項１７又は１８に記載の通信方法。
【請求項２０】
前記ネットワークデバイスがコアネットワークデバイス又はアクセスネットワークデバイスである
ことを特徴とする請求項１７〜１９のいずれか１項に記載の通信方法。
【請求項２１】
前記端末デバイスと前記ネットワークデバイスとの間のメッセージは、前記端末デバイスと前記ネットワークデバイスとのインターフェースにより伝送され、又は、他のネットワークインターフェースにより転送される
ことを特徴とする請求項１７〜２０のいずれか１項に記載の通信方法。
【請求項２２】
ネットワークデバイスが、端末デバイスが目標グループを決定するための指示情報を前記端末デバイスに送信することと、
前記ネットワークデバイスが前記端末デバイスにより送信された参加情報を受信し、前記参加情報が前記目標グループを参加するように要求するために使用され、前記参加情報に前記端末デバイスの識別子情報及び前記目標グループの属性情報が含まれ、
前記参加情報に対して、前記ネットワークデバイスが前記端末デバイスに第２のフィードバック情報を送信することとを含む
ことを特徴とする通信方法。
【請求項２３】
前記ネットワークデバイスが端末デバイスに指示情報を送信することは、
前記ネットワークデバイスが前記端末デバイスにより送信された第１の要求メッセージを受信し、前記第１の要求メッセージに前記端末デバイスが要求するグループの属性情報が含まれることと、
前記ネットワークデバイスが前記端末デバイスの契約情報及び／又は前記ネットワークデバイスがサポートするグループに基づいて、前記端末デバイスが要求するグループから前記端末デバイスのメンバーグループを決定することと、
前記ネットワークデバイスが、前記メンバーグループの識別子情報が含まれる指示情報を前記端末デバイスに送信することとを含む
ことを特徴とする請求項２２に記載の通信方法。
【請求項２４】
前記属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む
ことを特徴とする請求項２３に記載の通信方法。
【請求項２５】
前記ネットワークデバイスが端末デバイスに指示情報を送信することは、
前記ネットワークデバイスが前記既存グループの識別子情報が含まれる前記指示情報を前記端末デバイスに送信することを含む
ことを特徴とする請求項２２〜２４のいずれか１項に記載の通信方法。
【請求項２６】
前記ネットワークデバイスが前記端末デバイスに前記指示情報を送信することは、
前記ネットワークデバイスが前記端末デバイスに前記既存グループの属性情報を提供するかどうかを検証することと、
ネットワークデバイスが、前記端末デバイスに前記既存グループの属性情報を提供すると決定する場合、前記端末デバイスに前記指示情報を送信することとを含む
ことを特徴とする請求項２５に記載の通信方法。
【請求項２７】
前記ネットワークデバイスが前記端末デバイスに前記既存グループの識別子情報を提供するかどうかを検証することは、
前記ネットワークデバイスが、前記端末デバイスがグループの属性情報に対する検索の権利を有するかどうかを検証することを含む
ことを特徴とする請求項２６に記載の通信方法。
【請求項２８】
前記ネットワークデバイスが前記端末デバイスに前記指示情報を送信する前に、前記方法は、さらに、
前記ネットワークデバイスが前記端末デバイスにより送信された第２の要求メッセージを受信することを含み、前記第２の要求メッセージは、前記ネットワークデバイスが前記既存グループを提供するように要求するために使用される
ことを特徴とする請求項２５〜２７のいずれか１項に記載の通信方法。
【請求項２９】
前記ネットワークデバイスが前記端末デバイスに前記指示情報を送信する前に、前記方法は、さらに、
前記ネットワークデバイスが前記端末デバイスにより送信された第３の要求メッセージを受信することを含み、前記第３の要求メッセージに前記端末デバイスが要求する前記ネットワークデバイスが提供するグループの属性情報が含まれる
ことを特徴とする請求項２５〜２７のいずれか１項に記載の通信方法。
【請求項３０】
前記指示情報は、前記端末デバイスの要求する前記ネットワークデバイスの提供するグループが存在するかどうかを指示するために使用される
ことを特徴とする請求項２９に記載の通信方法。
【請求項３１】
前記方法は、さらに、
前記ネットワークデバイスが前記端末デバイスに前記既存グループの属性情報を提供することを拒否する場合、前記ネットワークデバイスが前記端末デバイスに第４の情報を送信し、前記第４の情報に前記ネットワークデバイスが前記端末デバイスに前記既存グループの属性情報を提供することを拒否する理由が含まれることを含む
ことを特徴とする請求項２５〜３０のいずれか１項に記載の通信方法。
【請求項３２】
前記ネットワークデバイスが端末デバイスに指示情報を送信することは、
前記ネットワークデバイスが前記端末デバイスにより送信された、前記端末デバイスが参加を希望するグループの属性情報が含まれる第４の要求メッセージを受信することと、
前記ネットワークデバイスが、前記端末デバイスが参加を希望するグループから前記目標グループを決定することと、
前記ネットワークデバイスが、前記目標グループの属性情報が含まれる指示情報を前記端末デバイスに送信することとを含む
ことを特徴とする請求項２２〜３１のいずれか１項に記載の通信方法。
【請求項３３】
前記ネットワークデバイスが、前記端末デバイスが参加を希望するグループから前記目標グループを決定することは、
前記ネットワークデバイスが、前記端末デバイスの契約情報、前記端末デバイスが参加を希望するグループの構成メッセージ、及び前記端末デバイスが参加を希望するグループの属性情報のうちの少なくとも１つに基づいて前記目標グループを決定することを含む
ことを特徴とする請求項３２に記載の通信方法。
【請求項３４】
前記ネットワークデバイスが、前記端末デバイスが参加を希望するグループから前記目標グループを決定することは、
前記ネットワークデバイスが第１のデバイスに第４の情報を送信し、前記第４の情報に前記端末デバイスが参加を希望するグループの属性情報が含まれ、前記第１のデバイスがグループの管理者又は作成者であることと、
前記ネットワークデバイスが、前記第１のデバイスが前記第４の情報に対して送信する前記目標グループの属性情報が含まれる第３のフィードバック情報を受信することとを含む
ことを特徴とする請求項３２に記載の通信方法。
【請求項３５】
前記ネットワークデバイスが端末デバイスに指示情報を送信することは、
前記ネットワークデバイスが第１のデバイスにより送信された第６の要求メッセージを受信し、前記第６の要求メッセージに前記端末デバイスの属性情報、前記第１のデバイスが希望する前記端末デバイスが参加するグループの属性情報、及び第１のデバイスの属性情報が含まれ、前記第１のデバイスがグループの管理者又は作成者であることと、
前記ネットワークデバイスが、前記第１のデバイスが前記端末デバイスが前記第１のデバイスの希望する前記端末デバイスの参加するグループに参加することを要求する権利を有するかどうかを検証することと、
前記第１のデバイスが前記権利を有する場合、前記ネットワークデバイスが端末デバイスに前記指示情報を送信し、前記指示情報に前記第１のデバイスの希望する前記端末デバイスの参加するグループの属性情報が含まれることとを含む
ことを特徴とする請求項２２〜３４のいずれか１項に記載の通信方法。
【請求項３６】
前記方法は、さらに、
前記ネットワークデバイスが、前記端末デバイスにより送信された、前記目標グループの属性情報が含まれるフィードバック情報を受信することと、
前記ネットワークデバイスが前記第１のデバイスに前記フィードバック情報を送信することとを含む
ことを特徴とする請求項３５に記載の通信方法。
【請求項３７】
前記ネットワークデバイスが端末デバイスに指示情報を送信することは、
前記ネットワークデバイスが、前記ネットワークデバイスがサポートするグループが含まれる指示情報を前記端末デバイスに送信することを含む
ことを特徴とする請求項２２〜３６のいずれか１項に記載の通信方法。
【請求項３８】
前記方法は、さらに、
前記ネットワークデバイスが、前記端末デバイスが離脱する前記目標グループの属性情報が含まれる第３の情報を前記端末デバイスに送信することを含む
ことを特徴とする請求項２２〜３７のいずれか１項に記載の通信方法。
【請求項３９】
前記ネットワークデバイスが前記端末デバイスに第３の情報を送信する前に、前記方法は、さらに、
前記ネットワークデバイスが、前記端末デバイスにより送信された、前記端末デバイスが離脱を要求する前記目標グループの属性情報が含まれる第５の要求メッセージを受信することを含む
ことを特徴とする請求項３８に記載の通信方法。
【請求項４０】
前記ネットワークデバイスが前記端末デバイスに第３の情報を送信することは、
前記ネットワークデバイスが第１のデバイスにより送信された第６の要求メッセージを受信し、前記第６の要求メッセージに前記端末デバイスの属性情報、及び前記第１のデバイスが要求する前記端末デバイスが離脱する前記目標グループの属性情報が含まれることと、
前記ネットワークデバイスが、前記第１のデバイスが前記端末デバイスの前記目標グループから離脱することを要求する権利を有するかどうかを検証することと、
前記第１のデバイスが前記権利を有する場合、前記ネットワークデバイスが前記端末デバイスに前記第３の情報を送信することとを含む
ことを特徴とする請求項３８に記載の通信方法。
【請求項４１】
前記方法は、さらに、
前記端末デバイスが前記目標グループから離脱しない場合、前記ネットワークデバイスが前記端末デバイスにより送信された第２のフィードバック情報を受信し、前記第２のフィードバック情報に前記端末デバイスが離脱しない目標グループの属性情報が含まれることを含む
ことを特徴とする請求項３８〜４０のいずれか１項に記載の通信方法。
【請求項４２】
前記ネットワークデバイスがコアネットワークデバイス又はアクセスネットワークデバイスである
ことを特徴とする請求項２２〜４１のいずれか１項に記載の通信方法。
【請求項４３】
前記ネットワークデバイスと前記端末デバイスとの間のメッセージは、前記ネットワークデバイスと前記端末デバイスとのインターフェースにより伝送され、又は、他のネットワークインターフェースにより転送される
ことを特徴とする請求項２２〜４２のいずれか１項に記載の通信方法。
【請求項４４】
第１のデバイスが、端末デバイスが目標グループを決定するための要求メッセージネットワークデバイスに送信することを含む
ことを特徴とする通信方法。
【請求項４５】
前記第１のデバイスがネットワークデバイスに要求メッセージを送信することは、
前記第１のデバイスが前記ネットワークデバイスに前記要求メッセージを送信し、前記要求メッセージに前記端末デバイスの属性情報、前記第１のデバイスが希望する前記端末デバイスが参加するグループの識別子情報、及び第１のデバイスの属性情報が含まれることを含む
ことを特徴とする請求項４４に記載の通信方法。
【請求項４６】
前記方法は、さらに、
前記第１のデバイスが前記ネットワークデバイスにより送信された、前記目標グループの属性情報が含まれるフィードバック情報を受信することを含む
ことを特徴とする請求項４５に記載の通信方法。
【請求項４７】
前記第１のデバイスがネットワークデバイスに要求メッセージを送信することは、
前記第１のデバイスがネットワークデバイスにより送信された、前記端末デバイスが参加を希望するグループの属性情報を受信することと、
前記属性情報に基づいて、前記第１のデバイスが前記目標グループを決定することと、
前記第１のデバイスが、前記目標グループの識別子情報が含まれる要求メッセージをネットワークデバイスに送信することとを含む
ことを特徴とする請求項４４に記載の通信方法。
【請求項４８】
前記方法は、さらに、
前記第１のデバイスが前記ネットワークデバイスに離脱メッセージを送信することを含み、前記離脱メッセージに前記端末デバイスの属性情報、及び前記第１のデバイスが要求する前記端末デバイスが離脱する前記目標グループの属性情報が含まれる
ことを特徴とする請求項４４〜４７のいずれか１項に記載の通信方法。
【請求項４９】
前記属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む
ことを特徴とする請求項４４〜４８のいずれか１項に記載の通信方法。
【請求項５０】
前記第１のデバイスがグループの管理者又は作成者であり、前記第１のデバイスが端末デバイス又はネットワークデバイスである
ことを特徴とする請求項４４〜４９のいずれか１項に記載の通信方法。
【請求項５１】
前記ネットワークデバイスがコアネットワークデバイス又はアクセスネットワークデバイスである
ことを特徴とする請求項４４〜５０のいずれか１項に記載の通信方法。
【請求項５２】
前記端末デバイスと前記ネットワークデバイスとの間のメッセージは、前記端末デバイスと前記ネットワークデバイスとのインターフェースにより伝送され、又は、他のネットワークインターフェースにより転送される
ことを特徴とする請求項４４〜５１のいずれか１項に記載の通信方法。
【請求項５３】
処理ユニットを含む端末デバイスであって、
前記処理ユニットは、目標グループを決定し、前記目標グループに参加してネットワーク側と通信するように構成される
ことを特徴とする端末デバイス。
【請求項５４】
前記処理ユニットは、少なくとも１つのグループの属性情報に基づいて、前記少なくとも１つのグループから前記目標グループを決定するように構成される
ことを特徴とする請求項５３に記載の端末デバイス。
【請求項５５】
前記属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む
ことを特徴とする請求項５４に記載の端末デバイス。
【請求項５６】
前記端末デバイスが通信ユニットをさらに含み、
前記通信ユニットは、ネットワークデバイスにより送信された、前記目標グループを示す指示情報を受信するように構成される
ことを特徴とする請求項５３に記載の端末デバイス。
【請求項５７】
前記処理ユニットは、
前記端末デバイスのメンバーグループを決定し、
前記メンバーグループから前記目標グループを決定するように構成される
ことを特徴とする請求項５３〜５６のいずれか１項に記載の端末デバイス。
【請求項５８】
前記端末デバイスがさらに通信ユニットを含み、
前記通信ユニットは、前記端末デバイスが要求するグループの属性情報が含まれる第１の要求メッセージをネットワークデバイスに送信するように構成され、
前記通信ユニットは、さらに、前記ネットワークデバイスにより送信された、前記メンバーグループの属性情報が含まれる第１の構成メッセージを受信するように構成され、
前記処理ユニットは、前記メンバーグループの属性情報に基づいて前記メンバーグループを決定するように構成される
ことを特徴とする請求項５７に記載の端末デバイス。
【請求項５９】
前記端末デバイスが通信ユニットをさらに含み、
前記通信ユニットは、ネットワークデバイスにより送信された、既存グループの属性情報が含まれる第１の情報を受信するように構成され、
前記処理ユニットは、前記既存グループの属性情報に基づいて前記既存グループを決定し、前記既存グループから前記目標グループを決定するように構成される
ことを特徴とする請求項５３〜５８のいずれか１項に記載の端末デバイス。
【請求項６０】
前記通信ユニットは、さらに、前記ネットワークデバイスに第２の要求メッセージを送信するように構成され、前記第２の要求メッセージは、前記ネットワークデバイスが前記既存グループを提供するように要求するために使用される
ことを特徴とする請求項５９に記載の端末デバイス。
【請求項６１】
前記通信ユニットは、さらに、前記ネットワークデバイスに第３の要求メッセージを送信するように構成され、前記第３の要求メッセージに前記端末デバイスが要求する前記ネットワークデバイスが提供するグループの属性情報が含まれる
ことを特徴とする請求項５９に記載の端末デバイス。
【請求項６２】
前記端末デバイスが通信ユニットをさらに含み、
通信ユニットは、前記端末デバイスが参加を希望するグループの属性情報が含まれる第４の要求メッセージをネットワークデバイスに送信するように構成され、
前記通信ユニットは、さらに、前記ネットワークデバイスにより送信された、前記目標グループの属性情報が含まれる第１のフィードバック情報を受信するように構成され、
前記処理ユニットは、前記目標グループの属性情報に基づいて前記目標グループを決定するように構成される
ことを特徴とする請求項５３〜６１のいずれか１項に記載の端末デバイス。
【請求項６３】
前記端末デバイスが通信ユニットをさらに含み、
前記通信ユニットは、ネットワークデバイスにより送信された第２の情報を受信するように構成され、前記第２の情報に第１のデバイスが希望する前記端末デバイスが参加するグループの属性情報が含まれ、
前記処理ユニットは、前記第１のデバイスが希望する前記端末デバイスが参加するグループの属性情報に基づいて、前記第１のデバイスが希望する前記端末デバイスが参加するグループを決定し、
前記第１のデバイスが希望する前記端末デバイスが参加するグループから、前記目標グループを決定するように構成される
ことを特徴とする請求項５３〜６２のいずれか１項に記載の端末デバイス。
【請求項６４】
前記通信ユニットは、さらに、前記ネットワークデバイスに前記目標グループの識別子情報が含まれるフィードバック情報を送信するように構成される
ことを特徴とする請求項６３に記載の端末デバイス。
【請求項６５】
前記第１のデバイスがグループの管理者又は作成者である
ことを特徴とする請求項６３又は６４に記載の端末デバイス。
【請求項６６】
前記処理ユニットは、第２の構成メッセージに基づいて、ネットワークデバイスがサポートするグループを決定し、前記第２の構成メッセージが前記ネットワークデバイスにより前記端末デバイスに送信され、又は、前記端末デバイスに予め構成され、
前記ネットワークデバイスがサポートするグループから前記目標グループを決定するように構成される
ことを特徴とする請求項５３〜６５のいずれか１項に記載の端末デバイス。
【請求項６７】
前記端末デバイスが通信ユニットをさらに含み、
前記通信ユニットは、ネットワークデバイスに参加情報を送信するように構成され、前記参加情報が前記目標グループの参加を要求するために使用され、前記参加情報に前記端末デバイスの識別子情報及び前記目標グループの属性情報が含まれ、
前記通信ユニットは、さらに、前記ネットワークデバイスが前記参加情報に対する第２のフィードバック情報を受信するように構成される
ことを特徴とする請求項５３〜６６のいずれか１項に記載の端末デバイス。
【請求項６８】
前記処理ユニットは、前記目標グループに基づいてセッション接続を確立するように構成される
ことを特徴とする請求項５３〜６６のいずれか１項に記載の端末デバイス。
【請求項６９】
前記端末デバイスが通信ユニットをさらに含み、
前記通信ユニットは、ネットワークデバイスにより送信された、前記端末デバイスが離脱する前記目標グループの属性情報が含まれる第３の情報を受信するように構成され、
前記処理ユニットは、さらに、前記目標グループの属性情報に基づいて前記目標グループから離脱するかどうかを決定するように構成される
ことを特徴とする請求項５３〜６８のいずれか１項に記載の端末デバイス。
【請求項７０】
前記通信ユニットは、さらに、前記ネットワークデバイスに第５の要求メッセージを送信するように構成され、前記第５の要求メッセージに前記端末デバイスが離脱を要求する前記目標グループの識別子情報が含まれる
ことを特徴とする請求項６９に記載の端末デバイス。
【請求項７１】
前記通信ユニットは、さらに、
前記端末デバイスが前記目標グループから離脱しない場合、前記ネットワークデバイスに第２のフィードバック情報を送信するように構成され、前記第２のフィードバック情報に前記端末デバイスが離脱しない目標グループの属性情報が含まれる
ことを特徴とする請求項６９又は７０に記載の端末デバイス。
【請求項７２】
前記ネットワークデバイスがコアネットワークデバイス又はアクセスネットワークデバイスである
ことを特徴とする請求項６９〜７１のいずれか１項に記載の端末デバイス。
【請求項７３】
前記端末デバイスと前記ネットワークデバイスとの間のメッセージは、前記端末デバイスと前記ネットワークデバイスとのインターフェースにより伝送され、又は、他のネットワークインターフェースにより転送される
ことを特徴とする請求項６９〜７２のいずれか１項に記載の端末デバイス。
【請求項７４】
通信ユニットを含むネットワークデバイスであって、
前記通信ユニットは、端末デバイスが目標グループを決定するための指示情報を前記端末デバイスに送信するように構成され、
前記通信ユニットは、さらに、前記端末デバイスにより送信された参加情報を受信するように構成され、前記参加情報が前記目標グループの参加を要求するために使用され、前記参加情報に前記端末デバイスの識別子情報及び前記目標グループの属性情報が含まれ、
前記通信ユニットは、さらに、前記参加情報に対して、前記端末デバイスに第２のフィードバック情報を送信するように構成される
ことを特徴とするネットワークデバイス。
【請求項７５】
前記通信ユニットは、前記端末デバイスにより送信された第１の要求メッセージを受信するように構成され、前記第１の要求メッセージに前記端末デバイスが要求するグループの属性情報が含まれ、
前記ネットワークデバイスが処理ユニットをさらに含み、
前記処理ユニットは、前記端末デバイスの契約情報及び／又は前記ネットワークデバイスがサポートするグループに基づいて、前記端末デバイスが要求するグループから前記端末デバイスのメンバーグループを決定するように構成され、
前記通信ユニットは、前記メンバーグループの識別子情報が含まれる前記指示情報前記端末デバイスに送信するように構成される
ことを特徴とする請求項７４に記載のネットワークデバイス。
【請求項７６】
前記属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む
ことを特徴とする請求項７５に記載のネットワークデバイス。
【請求項７７】
前記通信ユニットは、前記既存グループの識別子情報が含まれる前記指示情報を前記端末デバイスに送信するように構成される
ことを特徴とする請求項７４〜７６のいずれか１項に記載のネットワークデバイス。
【請求項７８】
前記ネットワークデバイスが処理ユニットをさらに含み、
前記処理ユニットは、前記端末デバイスに前記既存グループの属性情報を提供するかどうかを検証するように構成され、
前記通信ユニットは、ネットワークデバイスが前記端末デバイスに前記既存グループの属性情報を提供すると決定する場合、前記端末デバイスに前記指示情報を送信するように構成される
ことを特徴とする請求項７７に記載のネットワークデバイス。
【請求項７９】
前記処理ユニットは、前記端末デバイスがグループの属性情報に対する検索の権利を有するかどうかを検証するように構成される
ことを特徴とする請求項７８に記載のネットワークデバイス。
【請求項８０】
前記通信ユニットは、さらに、前記端末デバイスにより送信された第２の要求メッセージを受信するように構成され、前記第２の要求メッセージは、前記ネットワークデバイスが前記既存グループを提供するように要求するために使用される
ことを特徴とする請求項７７〜７９のいずれか１項に記載のネットワークデバイス。
【請求項８１】
前記通信ユニットは、さらに、前記端末デバイスにより送信された第３の要求メッセージを受信するように構成され、前記第３の要求メッセージに前記端末デバイスが要求する前記ネットワークデバイスが提供するグループの属性情報が含まれる
ことを特徴とする請求項７７〜７９のいずれか１項に記載のネットワークデバイス。
【請求項８２】
前記指示情報は、前記端末デバイスの要求する前記ネットワークデバイスの提供するグループが存在するかどうかを指示するために使用される
ことを特徴とする請求項８１に記載のネットワークデバイス。
【請求項８３】
前記通信ユニットは、さらに、前記ネットワークデバイスが前記端末デバイスに前記既存グループの属性情報を提供することを拒否する場合、前記端末デバイスに第４の情報を送信するように構成され、前記第４の情報に前記ネットワークデバイスが前記端末デバイスに前記既存グループの属性情報を提供することを拒否する理由が含まれる
ことを特徴とする請求項７７〜８２のいずれか１項に記載のネットワークデバイス。
【請求項８４】
前記通信ユニットは、前記端末デバイスにより送信された、前記端末デバイスが参加を希望するグループの属性情報が含まれる第４の要求メッセージを受信するように構成され、
前記ネットワークデバイスが処理ユニットをさらに含み、
前記処理ユニットは、前記端末デバイスが参加を希望するグループから前記目標グループを決定するように構成され、
前記通信ユニットは、前記目標グループの属性情報が含まれる前記指示情報を前記端末デバイスに送信するように構成される
ことを特徴とする請求項７４〜８３のいずれか１項に記載のネットワークデバイス。
【請求項８５】
前記処理ユニットは、前記端末デバイスの契約情報、前記端末デバイスが参加を希望するグループの構成メッセージ、及び前記端末デバイスが参加を希望するグループの属性情報のうちの少なくとも１つに基づいて、前記目標グループを決定するように構成される
ことを特徴とする請求項８４に記載のネットワークデバイス。
【請求項８６】
前記通信ユニットは、第１のデバイスに第４の情報を送信するように構成され、前記第４の情報に前記端末デバイスが参加を希望するグループの属性情報が含まれ、前記第１のデバイスがグループの管理者又は作成者であり、
前記第１のデバイスが前記第４の情報に対して送信する、前記目標グループの属性情報が含まれる第３のフィードバック情報を受信するように構成される
ことを特徴とする請求項８４に記載のネットワークデバイス。
【請求項８７】
前記通信ユニットは、第１のデバイスにより送信された第６の要求メッセージを受信するように構成され、前記第６の要求メッセージに前記端末デバイスの属性情報、前記第１のデバイスが希望する前記端末デバイスが参加するグループの属性情報、及び第１のデバイスの属性情報が含まれ、前記第１のデバイスがグループの管理者又は作成者であり、
前記ネットワークデバイスが処理ユニットをさらに含み、
前記処理ユニットは、前記第１のデバイスが前記端末デバイスが前記第１のデバイスの希望する前記端末デバイスの参加するグループを参加することを要求する権利を有するかどうかを検証するように構成され、
前記通信ユニットは、前記第１のデバイスが前記権利を有する場合、端末デバイスに前記指示情報を送信するように構成され、前記指示情報に前記第１のデバイスの希望する前記端末デバイスの参加するグループの属性情報が含まれる
ことを特徴とする請求項７４〜８６のいずれか１項に記載のネットワークデバイス。
【請求項８８】
前記通信ユニットは、さらに、前記端末デバイスにより送信された、前記目標グループの属性情報が含まれるフィードバック情報を受信し、
前記第１のデバイスに前記フィードバック情報を送信するように構成される
ことを特徴とする請求項８７に記載のネットワークデバイス。
【請求項８９】
前記通信ユニットは、前記ネットワークデバイスがサポートするグループが含まれる前記指示情報を前記端末デバイスに送信するように構成される
ことを特徴とする請求項７４〜８８のいずれか１項に記載のネットワークデバイス。
【請求項９０】
前記通信ユニットは、さらに、前記端末デバイスが離脱する前記目標グループの属性情報が含まれる第３の情報を前記端末デバイスに送信するように構成される
ことを特徴とする請求項７４〜８９のいずれか１項に記載のネットワークデバイス。
【請求項９１】
前記通信ユニットは、さらに、前記端末デバイスにより送信された第５の要求メッセージを受信するように構成され、前記第５の要求メッセージに前記端末デバイスが離脱を要求する前記目標グループの属性情報が含まれる
ことを特徴とする請求項９０に記載のネットワークデバイス。
【請求項９２】
前記通信ユニットは、第１のデバイスにより送信された第６の要求メッセージを受信するように構成され、前記第６の要求メッセージに前記端末デバイスの属性情報、及び前記第１のデバイスの要求する前記端末デバイスの離脱する前記目標グループの属性情報が含まれ、
前記ネットワークデバイスが処理ユニットをさらに含み、
前記処理ユニットは、前記第１のデバイスが前記端末デバイスが前記目標グループから離脱することを要求する権利を有するかどうかを検証するように構成され、
前記通信ユニットは、前記第１のデバイスが前記権利を有する場合、前記端末デバイスに前記第３の情報を送信するように構成される
ことを特徴とする請求項９０に記載のネットワークデバイス。
【請求項９３】
前記通信ユニットは、さらに、前記端末デバイスが前記目標グループから離脱しない場合、前記端末デバイスにより送信された第２のフィードバック情報を受信するように構成され、前記第２のフィードバック情報に前記端末デバイスが離脱しない目標グループの属性情報が含まれることを含む
ことを特徴とする請求項９０〜９２のいずれか１項に記載のネットワークデバイス。
【請求項９４】
前記ネットワークデバイスがコアネットワークデバイス又はアクセスネットワークデバイスである
ことを特徴とする請求項７４〜９３のいずれか１項に記載のネットワークデバイス。
【請求項９５】
前記ネットワークデバイスと前記端末デバイスとの間のメッセージは、前記ネットワークデバイスと前記端末デバイスとのインターフェースにより伝送され、又は、他のネットワークインターフェースにより転送される
ことを特徴とする請求項７４〜９４のいずれか１項に記載のネットワークデバイス。
【請求項９６】
通信ユニットを含む通信デバイスであって、
前記通信ユニットは、端末デバイスが目標グループを決定するための要求メッセージをネットワークデバイスに送信するように構成される
ことを特徴とする通信デバイス。
【請求項９７】
前記通信ユニットは、前記ネットワークデバイスに前記要求メッセージを送信するように構成され、前記要求メッセージに前記端末デバイスの属性情報、前記通信デバイスの希望する前記端末デバイスの参加するグループの識別子情報及び前記通信デバイスの属性情報が含まれる
ことを特徴とする請求項９６に記載の通信デバイス。
【請求項９８】
前記通信ユニットは、さらに、前記ネットワークデバイスにより送信された、前記目標グループの属性情報が含まれるフィードバック情報を受信するように構成される
ことを特徴とする請求項９７に記載の通信デバイス。
【請求項９９】
前記通信ユニットは、ネットワークデバイスにより送信された、前記端末デバイスが参加を希望するグループの属性情報を受信するように構成され、
前記通信デバイスが処理ユニットをさらに含み、
前記処理ユニットは、前記属性情報に基づいて前記目標グループを決定するように構成され、
前記通信ユニットは、前記目標グループの識別子情報が含まれる要求メッセージをネットワークデバイスに送信するように構成される
ことを特徴とする請求項９６に記載の通信デバイス。
【請求項１００】
前記通信ユニットは、さらに、前記ネットワークデバイスに離脱メッセージを送信するように構成され、前記離脱メッセージに前記端末デバイスの属性情報、及び前記通信デバイスの要求する前記端末デバイスの離脱する前記目標グループの属性情報が含まれる
ことを特徴とする請求項９６〜９９のいずれか１項に記載の通信デバイス。
【請求項１０１】
前記属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む
ことを特徴とする請求項９６〜１００のいずれか１項に記載の通信デバイス。
【請求項１０２】
前記通信デバイスがグループの管理者又は作成者であり、前記通信デバイスが端末デバイス又はネットワークデバイスである
ことを特徴とする請求項９６〜１０１のいずれか１項に記載の通信デバイス。
【請求項１０３】
前記ネットワークデバイスがコアネットワークデバイス又はアクセスネットワークデバイスである
ことを特徴とする請求項９６〜１０２のいずれか１項に記載の通信デバイス。
【請求項１０４】
前記端末デバイスと前記ネットワークデバイスとの間のメッセージは、前記端末デバイスと前記ネットワークデバイスとのインターフェースにより伝送され、又は、他のネットワークインターフェースにより転送される
ことを特徴とする請求項９６〜１０３のいずれか１項に記載の通信デバイス。
【請求項１０５】
コンピュータプログラムを記憶するメモリと、前記メモリに記憶されたコンピュータプログラムを呼び出して実行し、請求項１〜２１のいずれか１項に記載の方法を実行するプロセッサとを有する
ことを特徴とする端末デバイス。
【請求項１０６】
コンピュータプログラムを記憶するメモリと、前記メモリに記憶されたコンピュータプログラムを呼び出して実行し、請求項２２〜４３のいずれか１項に記載の方法を実行するプロセッサとを有する
ことを特徴とするネットワークデバイス。
【請求項１０７】
コンピュータプログラムを記憶するメモリと、前記メモリに記憶されたコンピュータプログラムを呼び出して実行し、請求項４４〜５２のいずれか１項に記載の方法を実行するプロセッサとを有する
ことを特徴とする通信デバイス。
【請求項１０８】
コンピュータプログラムをメモリから呼び出して実行し、チップが搭載されるデバイスに請求項１〜２１のいずれか１項に記載の方法を実行させるプロセッサを有する
ことを特徴とするチップ。
【請求項１０９】
コンピュータプログラムをメモリから呼び出して実行し、チップが搭載されるデバイスに請求項２２〜４３のいずれか１項に記載の方法を実行させるプロセッサを有することを特徴とするチップ。
【請求項１１０】
コンピュータプログラムをメモリから呼び出して実行し、チップが搭載されるデバイスに請求項４４〜５２のいずれか１項に記載の方法を実行させるプロセッサを有する
ことを特徴とするチップ。
【請求項１１１】
コンピュータに請求項１〜２１のいずれか１項に記載の方法を実行させるコンピュータプログラムを記憶する
ことを特徴とするコンピュータ可読記憶媒体。
【請求項１１２】
コンピュータに請求項２２〜４３のいずれか１項に記載の方法を実行させるコンピュータプログラムを記憶する
ことを特徴とするコンピュータ可読記憶媒体。
【請求項１１３】
コンピュータに請求項４４〜５２のいずれか１項に記載の方法を実行させるコンピュータプログラムを記憶する
ことを特徴とするコンピュータ可読記憶媒体。
【請求項１１４】
コンピュータに請求項１〜２１のいずれか１項に記載の方法を実行させるコンピュータプログラム命令を有する
ことを特徴とするコンピュータプログラム製品。
【請求項１１５】
コンピュータに請求項２２〜４３のいずれか１項に記載の方法を実行させるコンピュータプログラム命令を有する
ことを特徴とするコンピュータプログラム製品。
【請求項１１６】
コンピュータに請求項４４〜５２のいずれか１項に記載の方法を実行させるコンピュータプログラム命令を有する
ことを特徴とするコンピュータプログラム製品。
【請求項１１７】
コンピュータに、請求項１〜２１のいずれか１項に記載の方法を実行させる
ことを特徴とするコンピュータプログラム。
【請求項１１８】
コンピュータに、請求項２２〜４３のいずれか１項に記載の方法を実行させる
ことを特徴とするコンピュータプログラム。
【請求項１１９】
コンピュータに、請求項４４〜５２のいずれか１項に記載の方法を実行させる
ことを特徴とするコンピュータプログラム。
【発明の詳細な説明】
【技術分野】
【０００１】
本願は、通信分野に関し、具体的に、通信方法及びデバイスに関する。
【背景技術】
【０００２】
近年、モバイルインターネット及びモノのインターネットの急速な発展に伴い、モバイルユーザのトラフィックは爆発的に増加している。この場合、ネットワークがユーザに対する管理が特に重要であり、優れた管理をどのように実現するかが、解決すべき課題である。
【発明の概要】
【０００３】
本願の実施例は、ネットワークの精細な管理を実現することができる通信方法及びデバイスを提供する。 
第１の形態は、通信方法を提供し、前記方法は、端末デバイスが目標グループを決定することと、前記端末デバイスが前記目標グループに参加して、ネットワーク側と通信することとを含む。
【０００４】
第２の形態は、通信方法を提供し、前記方法は、ネットワークデバイスが端末デバイスに指示情報を送信し、前記指示情報が前記端末デバイスが目標グループを決定するために使用されることと、前記ネットワークデバイスが前記端末デバイスにより送信された参加情報を受信し、前記参加情報が前記目標グループの参加を要求するために使用され、前記参加情報に前記端末デバイスの識別子情報及び前記目標グループの属性情報が含まれ、前記参加情報に対して、前記ネットワークデバイスが前記端末デバイスに第２のフィードバック情報を送信することとを含む。
【０００５】
第３の形態は、通信方法を提供し、前記方法は、第１のデバイスが、端末デバイスが目標グループを決定するための要求メッセージネットワークデバイスに送信することを含む。
【０００６】
第４の態様は、上記第１の態様またはその実装形態における方法を実行するための端末デバイスを提供する。
【０００７】
具体的には、このデバイスは、上記の第１の態様又はその様々な実施態様における方法を実行するための機能モジュールを含む。
【０００８】
第５の態様は、上記第２の態様またはその実装形態における方法を実行するためのネットワークデバイスを提供する。
【０００９】
具体的には、このデバイスは、上記の第２の態様又はその様々な実施態様における方法を実行するための機能モジュールを含む。
【００１０】
第６の態様は、上記第３の態様またはその実装形態における方法を実行するための通信デバイスを提供する。
【００１１】
具体的には、このデバイスは、上記の第３の態様又はその様々な実施態様における方法を実行するための機能モジュールを含む。
【００１２】
第７の態様は、プロセッサとメモリとを備える端末デバイスを提供する。メモリは、コンピュータプログラムを記憶し、プロセッサは、メモリに記憶されたコンピュータプログラムを呼び出して実行し、上記第１の態様またはその様々な実施例における方法を実行する。
【００１３】
第８の態様は、プロセッサとメモリとを備えるネットワークデバイスを提供する。メモリは、コンピュータプログラムを記憶し、プロセッサは、メモリに記憶されたコンピュータプログラムを呼び出して実行し、上記第２の態様またはその様々な実施例における方法を実行する。
【００１４】
第９の態様は、プロセッサとメモリとを備える通信デバイスを提供する。メモリは、コンピュータプログラムを記憶し、プロセッサは、メモリに記憶されたコンピュータプログラムを呼び出して実行し、上記第３の態様またはその様々な実施例における方法を実行する。
【００１５】
第１０の態様は、上述の第１から第３の態様のいずれか又はその様々な実施態様における方法を実行するためのチップを提供する。
【００１６】
具体的には、このチップが実装されたデバイスに、コンピュータプログラムをメモリから呼び出して実行し、第１から第３の態様のいずれかまたはそれらの実装形態による方法を実行させるプロセッサを含む。
【００１７】
第１１の態様は、コンピュータに、上記第１から第３の態様のいずれか、またはそれらの様々な実施態様における方法を実行させるコンピュータプログラムを記憶するコンピュータ可読記憶媒体を提供する。
【００１８】
第１２の態様は、コンピュータに、上述の第１から第３の態様のいずれか、またはその様々な実施態様における方法を実行させるコンピュータプログラム命令を含む、コンピュータプログラム製品を提供する。
【００１９】
第１３の態様は、コンピュータ上で実行されると、コンピュータに、上記第１から第３の態様のいずれか、またはその様々な実施態様における方法を実行させるコンピュータプログラムを提供する。
【００２０】
上記態様によれば、端末デバイスは、少なくとも１つのグループから目標グループを決定し参加してネットワーク側と通信することができ、ネットワークの精細な管理を実現することができる。
【図面の簡単な説明】
【００２１】
【図１】本願の実施例における通信システムのアーキテクチャの模式図である。
【図２】本願の実施例における通信方法のフローチャートである。
【図３】本願の実施例における通信方法のフローチャートである。
【図４】本願の実施例における通信方法のフローチャートである。
【図５】本願の実施例における端末デバイスが目標グループを決定する模式図である。
【図６】本願の実施例における端末デバイスが目標グループから離脱する模式図である。
【図７】本願の実施例における端末デバイスのブロック図である。
【図８】本願の実施例におけるネットワークデバイスのブロック図である。
【図９】本願の実施例における通信デバイスのブロック図である。
【図１０】本願の実施例における通信デバイスのブロック図である。
【図１１】本願の実施例におけるチップのブロック図である。
【図１２】本願の実施例における通信システムのブロック図である。
【図１３】本願の実施例における通信システムのブロック図である。
【発明を実施するための形態】
【００２２】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００２３】
本願の実施例に係る技術方案は、様々な通信システム、例えば、ＧＳＭ （Ｇｌｏｂａｌ Ｓｙｓｔｅｍ ｏｆ Ｍｏｂｉｌｅ ｃｏｍｍｕｎｉｃａｔｉｏｎ)システム、ＣＤＭＡ （ Ｃｏｄｅ Ｄｉｖｉｓｉｏｎ Ｍｕｌｔｉｐｌｅ Ａｃｃｅｓｓ)システム、ＷＣＤＭＡ （Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ （ Ｇｅｎｅｒａｌ Ｐａｃｋｅｔ Ｒａｄｉｏ Ｓｅｒｖｉｃｅ)、ＬＴＥ （ Ｌｏｎｇ ｔｅｒｍ Ｅｖｏｌｕｔｉｏｎ)システム、ＬＴＥ  ＦＤＤ （ Ｆｒｅｑｕｅｎｃｙ Ｄｉｖｉｓｉｏｎ Ｄｕｐｌｅｘ)システム、ＬＴＥ  ＴＤＤ （ Ｔｉｍｅ Ｄｉｖｉｓｉｏｎ Ｄｕｐｌｅｘ)システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ)、ＷｉＭＡＸ （ Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ)通信システム又は５Ｇシステムに適用されることができる。
【００２４】
例示的に、本願の実施例が適用される通信システム１００を図１に示す。通信システム１００は、端末デバイス１２０(または通信端末、端末と呼ばれる)と通信するデバイスであり得るネットワークデバイス１１０を含み得る。ネットワークデバイス１１０は、特定の地理的エリアに通信カバレージを提供し得、カバレージエリア内に位置付けられた端末デバイスと通信し得る。任意選択で、このネットワークデバイス１１０は、ＧＳＭシステムまたはＣＤＭＡシステムにおける基地局(Ｂａｓｅ Ｔｒａｎｓｃｅｉｖｅｒ Ｓｔａｔｉｏｎ、ＢＴＳ)であってもよく、ＷＣＤＭＡシステムにおける基地局(ＮｏｄｅＢ、ＮＢ)であってもよく、ＬＴＥシステムにおける進化型基地局(Ｅｖｏｌｕｔｉｏｎａｌ Ｎｏｄｅ Ｂ、ｅＮＢ又はｅＮｏｄｅＢ)であってもよく、クラウド無線アクセスネットワーク(Ｃｌｏｕｄ Ｒａｄｉｏ Ａｃｃｅｓｓ Ｎｅｔｗｏｒｋ、ＣＲＡＮ)における無線コントローラであってもよく、移動交換局、中継局、アクセスポイント、車載機器、ウェアラブル機器、集線装置、交換機、ブリッジ、ルータ、５Ｇネットワークにおけるネットワーク側機器または将来進化してくる（Ｐｕｂｌｉｃ Ｌａｎｄ Ｍｏｂｉｌｅ Ｎｅｔｗｏｒｋ、ＰＬＭＮ）におけるネットワークデバイス等であってもよい。
【００２５】
この通信システム１００は、ネットワークデバイス１１０のカバレージ内に位置する少なくとも１つの端末デバイス１２０をさらに含む。ここで、「端末デバイス」とは、公衆回線交換網ＰＳＴＮ（Ｐｕｂｌｉｃ Ｓｗｉｔｃｈｅｄ Ｔｅｌｅｐｈｏｎｅ Ｎｅｔｗｏｒｋｓ）、ＤＳＬ（Ｄｉｇｉｔal Ｓｕｂｓｃｒｉｂｅｒ Ｌｉｎｅ）、デジタル回線、直接ケーブルなどの有線回線接続、および／または別のデータ接続／ネットワーク、および／または、例えばセルラネットワーク、無線ローカルエリアネットワークＷＬＡＮ（Ｗｉｒｅｌｅｓｓ Ｌｏｃａｌ Ａｒｅａ Ｎｅｔｗｏｒｋ）、例えばＤＶＢ−Ｈネットワークのようなディジタルテレビネットワーク、衛星ネットワーク、ＡＭ−ＦＭ放送送信機のための無線インターフェースを介し、及び／又は別の端末デバイスの通信信号を受信／送信するように構成された手段、および／またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。移動端末の例としては、衛星又は携帯電話、データ処理、ファックス、およびデータ通信能力と組み合わせたセルラー無線電話を有するパーソナル通信システム(ＰＣＳ)端末、無線電話、ページャ、インターネット／イントラネット接続、Ｗｅｂブラウザ、メモ帳、カレンダ、及び／又はＧＰＳ受信機を含むことができるＰＤＡ、および従来のラップトップおよび／またはパームトップ受信機または無線電話送受信機を含む他の電子デバイスが挙げられる。端末デバイスは、アクセス端末、ＵＥ、加入者ユニット、加入者局、移動局、遠隔端末、モバイルデバイス、加入者端末、ワイヤレス通信デバイス、ユーザエージェント、またはユーザ機器を指し得る。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ)電話、ＷＬＬ （ Ｗｉｒｅｌｅｓｓ Ｌｏｃａｌ Ｌｏｏｐ)局、ＰＤＡ （ Ｐｅｒｓｏｎａｌ Ｄｉｇｉｔａｌ Ａｓｓｉｓｔａｎｔ)、無線通信機能を有するハンドヘルド装置、ワイヤレスモデムに接続されたコンピューティング装置または他の処理装置、車載装置、ウェアラブル装置、５Ｇネットワーク内の端末デバイス、または将来進化してくるＰＬＭＮ内の端末デバイスなどであり得る。
【００２６】
任意選択で、端末デバイス１２０間でＤｅｖｉｃｅ ｔｏ Ｄｅｖｉｃｅ （ Ｄ２Ｄ)通信が行われ得る。
【００２７】
任意選択で、５Ｇシステム又は５Ｇネットワークは、Ｎｅｗ Ｒａｄｉｏ (ＮＲ)システム又はＮＲネットワークとも称され得る。
【００２８】
図１は、１つのネットワークデバイスと２つの端末デバイスとを例示的に示し、任意選択的に、通信システム１００は、複数のネットワークデバイスを含んでもよく、各ネットワークデバイスのカバレッジ内に他の数の端末デバイスを含んでもよく、本願の実施例は、これに限定されない。
【００２９】
任意選択で、通信システム１００は、ネットワークコントローラ、移動管理エンティティ等の他のネットワークエンティティをさらに含んでもよく、本願の実施例は、これに限定されない。
【００３０】
本願の実施例におけるネットワーク／システムにおける通信機能を有する装置は、通信デバイスと称されることもあることを理解されたい。図１に示す通信システム１００を例にとると、通信デバイスは、通信機能を有するネットワークデバイス１１０と端末デバイス１２０を含み、ネットワークデバイス１１０と端末デバイス１２０は、上述した具体的なデバイスであってもよく、ここでその説明が省略され、通信デバイスは、通信システム１００における他のデバイス、例えばネットワークコントローラ、移動管理エンティティ等の他のネットワークエンティティをさらに含んでもよく、本願の実施例ではこれに限定されない。
【００３１】
本明細書において、用語「システム」及び「ネットワーク」は、しばしば、交換可能に使用されることが理解される。
【００３２】
図２は本願の実施例における通信方法２００のフローチャートである。該方法２００が端末デバイスにより実行され、以下の少なくとも一部を含む。
【００３３】
２１０において、端末デバイスが目標グループを決定する。
【００３４】
２２０において、端末デバイスが目標グループを参加してネットワーク側と通信する。
【００３５】
図３は本願の実施例における通信方法３００のフローチャートである。該方法３００がネットワークデバイスにより実行され、以下の少なくとも一部を含む。
【００３６】
３１０において、ネットワークデバイスが端末デバイスに指示情報を送信する。ここで、該指示情報は、端末デバイスが目標グループを決定するように指示するために使用される。
【００３７】
３２０において、ネットワークデバイスが端末デバイスにより送信された参加情報を受信し、参加情報が目標グループの参加を要求するために使用され、参加情報に端末デバイスの識別子情報及び目標グループの属性情報が含まれる。
【００３８】
３３０において、参加情報に対して、ネットワークデバイスが端末デバイスに第２のフィードバック情報を送信する。
【００３９】
図４は本願の実施例における通信方法４００のフローチャートである。該方法４００が第１のデバイスにより実行され、以下の少なくとも一部を含む。
【００４０】
４１０において、第１のデバイスがネットワークデバイスに要求メッセージを送信する。
【００４１】
ここで、該要求メッセージは、端末デバイスが目標グループを決定するために使用される。
【００４２】
任意選択で、該第１のデバイスは、ネットワークにおけるグループの管理者又は作成者である。グループの管理者又は作成者は、端末デバイスであってもよく、外部ネットワークデバイスであってもよい。
【００４３】
以下、図２〜図４を参照し、本願の実施例に係る通信方法を説明する。なお、以下の記載された内容は、方法２００、方法３００及び方法４００に応用される。
【００４４】
本願の実施例において、ネットワークデバイスは、グループ管理の機能エンティティであってもよい。ここで、該グループ管理の機能エンティティは、コアネットワークデバイスであってもよく、アクセスネットワークデバイスであってもよく、本願の実施例がこれに限定されない。
【００４５】
グループ管理の機能エンティティがコアネットワークデバイスである場合、任意選択で、グループ管理の機能エンティティは既存のコアネットワークエンティティであり得る。例えば、ＡＭＦ ( Ａｃｃｅｓｓ ａｎｄ Ｍｏｂｉｌｉｔｙ Ｍａｎａｇｅｍｅｎｔ Ｆｕｎｃｔｉｏｎ )の加入及び移動性管理を担当し、ユーザの認証、ハンドオーバー、位置更新などの機能を有する。また、例えば、セッション管理機能( ＳＭＦ )は、パケットデータユニット( ＰＤＵ )セッションのセットアップ、修正、開放などを含むセッション管理を担当する。
【００４６】
任意選択で、グループ管理の機能エンティティは、コアネットワーク以外の独立したネットワーク要素であってもよい。
【００４７】
このとき、グループ管理の機能エンティティと端末デバイスは、グループ管理の機能エンティティと端末デバイス間のインターフェースを介してメッセージを伝送してもよく、他のネットワークインターフェースを介して転送することによりメッセージを伝送してもよい。
【００４８】
任意選択で、１つのグループ管理の機能エンティティが１つのグループのみを管理してもよく、複数のグループを管理してもよく、もちろん、１つのグループ管理の機能エンティティが全てのグループを管理してもよい。
【００４９】
任意選択で、本願の実施例に係るネットワークは、アクセスネットワーク及び／又はコアネットワークを含む。
【００５０】
任意選択で、アクセスネットワーク及び／又はコアネットワークのネットワークタイプは、ローカルネットワーク及び公衆陸上ネットワークであってもよい。
【００５１】
ここで、公衆陸上ネットワークは、公衆陸上モバイルネットワーク（Ｐｕｂｌｉｃ Ｌａｎｄ Ｍｏｂｉｌｅ Ｎｅｔｗｏｒｋ、ＰＬＭＮ）に基づく公衆陸上ネットワークであってもよい。
【００５２】
ローカルネットワークは、ローカルエリアネットワーク又はプライベートネットワークとも称され、オフィス、家庭、工場の現場に配置されることが多く、より効率的で安全な管理を可能にし、典型的には、ローカルなユーザ又は管理者によって構成されることが多い。通常、正当な加入者は、ホームネットワークへの加入権限を有する。
【００５３】
ローカルネットワークは、公衆陸上ネットワークにより管理又は管轄されてもよく、公衆陸上ネットワークにより管理又は管轄されなくてもよい。
【００５４】
任意選択で、ローカルネットワークは、免許不要の周波数帯域で通信してもよく、公衆陸上ネットワークと免許周波数帯域を共有してもよい。
【００５５】
任意選択で、ローカルネットワークは、３ＧＰＰに属するネットワークであってもよい。ここで、該ローカルネットワークのコアネットワークは、ＮＲ又はＬＴＥのコアネットワークであってもよく、ＮＲアクセスネットワーク、ＬＴＥアクセスネットワーク又はＷＩＦＩ（Ｗｉｒｅｌｅｓｓ Ｆｉｄｅｌｉｔｙ）を介してコアネットワークに参加することができる。
【００５６】
任意選択で、本願の実施例において、公衆陸上ネットワークとローカルネットワークとがコアネットワークを共用し、アクセスネットワークが独立したものであり、又は、アクセスネットワークを共用し、コアネットワークが独立したものであり、又は、アクセスネットワーク及びコアネットワークを共用し、又は、アクセスネットワークとコアネットワークともに共用しない。
【００５７】
任意選択で、本願の実施例において、複数又は複数のタイプのグループは、コアネットワークを共用し、アクセスネットワークが独立したものであり、又は、アクセスネットワークを共用し、コアネットワークが独立したものであり、又は、アクセスネットワーク及びコアネットワークを共用し、又は、アクセスネットワークとコアネットワークともに独立したものであり。
【００５８】
任意選択で、本願の実施例において、１つのネットワークは、１つのグループを有してもよく、複数のグループを有してもよい。
【００５９】
任意選択で、１つのグループは、１つのコアネットワーク又は１つのアクセスネットワークを有してもよい。
【００６０】
任意選択で、異なる２つのグループのアクセスネットワークが同じであってもよく、コアネットワークが異なってもよい。
【００６１】
任意選択で、異なる２つのグループのコアネットワークが同じであってもよく、アクセスネットワークが異なってもよい。
【００６２】
任意選択で、異なる２つのグループのコアネットワークとアクセスネットワークともにが異なってもよい。
【００６３】
任意選択で、本願の実施例において、端末デバイスは、以下のように、ネットワークにおける少なくとも１つのグループから、目標グループを決定する。
【００６４】
方式一として、端末デバイスが少なくとも１つのグループの属性情報に基づいて、少なくとも１つのグループから目標グループを決定する。
【００６５】
ここで、属性情報は、グループの識別子情報、グループの規模情報、グループの外部ネットワークサーバー情報、グループのネットワークスライス情報、グループのサービス品質（Ｑｕａｌｉｔｙ ｏｆ Ｓｅｒｖｉｃｅ、ＱｏＳ）情報、グループの周波数帯域情報、グループのセキュリティレベル情報及びグループの現在容量情報のうちの少なくとも１つを含む。
【００６６】
任意選択で、グループの識別子情報は、グループの名称情報又は他の名称とも呼ばれてもよく、本願の実施例がこれに限定されない。
【００６７】
任意選択で、グループの識別子情報は、端末デバイスに予め構成されてもよい。
【００６８】
任意選択で、グループの規模は、グループメンバーの収容可能な最大数と理解されてもよい。収容できるグループメンバーの最大数が多いものは、グループの規模が大きく、収容できるグループメンバーの最大数が少ないものは、グループの規模が小さい。
【００６９】
任意選択で、グループのネットワークスライスは、ＥＭＢＢ(Ｅｎｈａｎｃｅｄ Ｍｏｂｉｌｅ Ｂｒｏａｄｂａｎｄ)のネットワークスライス、ＵＲＬＬＣ( Ｕｌｔｒａ Ｒｅｌｉａｂｌｅ ａｎｄ Ｌｏｗ Ｌａｔｅｎｃｙ Ｃｏｍｍｕｎｉｃａｔｉｏｎｓ )のネットワークスライス、ｍＭＴＣ( Ｍａｓｓｉｖｅ Ｍａｃｈｉｎｅ Ｔｙｐｅ Ｃｏｍｍｕｎｉｃａｔｉｏｎｓ)などを含み得る。
【００７０】
任意選択で、グループの外部ネットワークサーバー情報は、グループの外部サーバー情報とも呼ばれる。
【００７１】
任意選択で、グループのＱｏＳ情報は、グループの遅延情報、グループの帯域幅情報及びグループの信頼性情報を含むが、これらに限定されない。
【００７２】
任意選択で、グループの現在容量は、グループの現在のメンバー数、又は、グループが現在に収納可能なメンバー数と理解されてもよい。
【００７３】
例えば、ネットワークデバイスが端末デバイスに３つのグループを放送し、該３つのグループのセキュリティレベルが異なる場合、端末デバイスは、セキュリティレベルが最も高いグループを目標グループとして決定してもよい。
【００７４】
また、例えば、端末デバイスがサービスを伝送する必要があり、該サービスがＥＭＢＢのネットワークスライスであり、ネットワークが２つグループを有し、１つのグループのネットワークスライスがＥＭＢＢのネットワークスライスであり、他のグループのネットワークスライスがＵＲＬＬＣのネットワークスライスである場合、端末デバイスは、ネットワークスライスがＥＭＢＢであるグループを目標グループとして決定する。
【００７５】
また、例えば、ネットワークが３つのグループを放送し、グループ１、グループ２及びグループ３であり、グループ１の遅延とグループ２の遅延と同じであり、共に１ｍｓであり、グループ３の遅延が２ｍｓである場合、端末デバイスは、低い遅延のグループであるグループ１及びグループ２を選択してから、グループの識別子情報に基づいて、グループ１を目標グループとして決定する。
【００７６】
なお、ここで言う「および/または」とは、単に関連対象を説明する関連関係のことであり、Ａおよび/またはＢのように３つの関係があり、Ａ単独、ＡとＢの両方、Ｂ単独の３つの場合があることを意味する。
【００７７】
方式二として、ネットワークデバイスが端末デバイスに指示情報を送信し、該指示情報が目標グループを示す。したがって、端末デバイスが該指示情報を受信した後、目標グループを決定することができる。
【００７８】
任意選択で、本願の実施例において、端末デバイスは、少なくとも１つのグループから目標グループを決定することができる。
【００７９】
本願の実施例において、少なくとも１つのグループが端末デバイスのメンバーグループ、ネットワークデバイスがサポートするグループ、端末デバイスが参加を希望するグループ、及び／又は、第１のデバイスが希望する端末デバイスが参加するグループに属してもよい。
【００８０】
任意選択で、メンバーグループは、端末デバイスがこのグループのメンバーであり、該グループに属することを示す。端末デバイスがメンバーグループに属することは、端末デバイスがネットワーク側と通信することができないことを意味する。
【００８１】
任意選択で、端末デバイスが目標グループに参加することは、端末デバイスがネットワーク側と通信することができることを意味する。
【００８２】
任意選択で、指示情報が目標グループを示すことは、指示情報が指示目標グループを明示に示すと理解されてもよい。
【００８３】
例えば、ネットワークデバイスは、目標グループを決定した後、端末デバイスに指示情報を送信し、該指示情報に目標グループの識別子情報が含まれる。
【００８４】
任意選択で、指示情報が目標グループを示すことは、指示情報が目標グループを暗黙的に示すと理解されてもよい。
【００８５】
例えば、ネットワークデバイスは、メンバーグループ、ネットワークデバイスがサポートするグループ、端末デバイスが参加を希望するグループ、及び／又は、第１のデバイスが希望する端末デバイスが参加するグループを決定することができる。その後、ネットワークデバイスが端末デバイスに指示情報を送信し、ここで、指示情報は、メンバーグループ、ネットワークデバイスがサポートするグループ、端末デバイスが参加を希望するグループ、及び／又は、第１のデバイスが希望する端末デバイスが参加するグループの識別子情報を含むことができる。
【００８６】
一実施例において、少なくとも１つのグループがメンバーグループに属する場合、端末デバイスは、所定の方式、及び／又は、ネットワークにより構成された方式で、メンバーグループのメンバーとなってもよい。
【００８７】
例として、端末デバイスが所定の方式でメンバーグループのメンバーとなることは、端末デバイスが契約の方式でメンバーグループのメンバーとなることを含む。
【００８８】
すなわち、端末デバイスの契約情報がメンバーグループに対応する。
【００８９】
任意選択で、端末デバイスの契約情報とメンバーグループとの対応関係は、一対一対応であってもよく、即ち、端末デバイスの１つの契約情報が１つのメンバーグループに対応する。この時、メンバーグループが１つのグループである。
【００９０】
任意選択で、端末デバイスの契約情報とメンバーグループとの対応関係が一対多対応であってもよく、即ち、端末デバイスの１つの契約情報が複数のメンバーグループに対応する。この時、メンバーグループが複数のグループである。
【００９１】
他の例として、端末デバイスがネットワークにより構成された方式でメンバーグループのメンバーとなることは、以下の３つケースがある。
【００９２】
ケース１として、端末デバイスがネットワークデバイスに要求情報を送信し、該要求情報に端末デバイスの識別子が含まれる。ネットワークデバイスは、要求情報を受信した後、端末デバイスの識別子に基づいて、端末デバイスがどのメンバーグループに属するかを決定し、端末デバイスを該メンバーグループのメンバーとして構成することができる。
【００９３】
ケース２として、端末デバイスがネットワークデバイスに第１の要求メッセージを送信し、該第１の要求メッセージに端末デバイスが要求するグループの属性情報が含まれ、ネットワークデバイスは、端末デバイスの契約情報、端末デバイスが要求するグループの作成する時の構成メッセージ、及びネットワークデバイスがサポートするグループのうちの少なくとも１つに基づいて、端末デバイスを該メンバーグループのメンバーとして構成することができる。
【００９４】
ケース３として、端末デバイスがネットワークデバイスがサポートするグループを決定してから、ネットワークデバイスがサポートするグループに基づいてネットワークデバイスに第１の要求メッセージを送信し、ネットワークデバイスが端末デバイスの契約情報及び/又はネットワークデバイスがサポートするグループの作成する時の構成メッセージに基づいて、端末デバイスを該メンバーグループのメンバーとして構成することができる。
【００９５】
任意選択で、端末デバイスは、ネットワークデバイスがサポートするグループの属性情報を決定することで、ネットワークデバイスがサポートするグループを決定することができる。
【００９６】
任意選択で、端末デバイスは、第２の構成メッセージに基づいて、ネットワークサポートするグループを決定することができる。第２の構成メッセージは、ネットワークデバイスがサポートするグループの属性情報を含む。
【００９７】
ここで、第２の構成メッセージは、端末デバイスに予め構成されてもよく、ネットワークデバイスから端末デバイスに送信してもよい。
【００９８】
ネットワークデバイスが端末デバイスのためにメンバーグループを構成した後、ネットワークデバイスが端末デバイスに第１の構成メッセージを送信し、該第１の構成メッセージにメンバーグループの属性情報が含まれる。
【００９９】
端末デバイスは、第１の構成メッセージを受信した後、メンバーグループの属性情報に基づいてメンバーグループを決定することができる。メンバーグループを決定した後、端末デバイスがメンバーグループから目標グループを決定する。
【０１００】
任意選択で、端末デバイスがメンバーグループから目標グループを決定することは、端末デバイスがメンバーグループから目標グループを任意選択し、又は、
端末デバイスがメンバーグループの識別子情報及び／又は属性情報に基づいて、目標グループを決定し、又は、
端末デバイスがメンバーグループのトラフィック量を取得し、トラフィック量が最も少ない又はトラフィック量が閾値以下であるメンバーグループを目標グループとして決定し、又は、
ネットワークデバイスが端末デバイスに第３の構成メッセージを送信し、該第３の構成メッセージに目標グループの属性情報が含まれ、端末デバイスが第３の構成メッセージを受信した後、目標グループの属性情報に基づいてメンバーグループから目標グループを決定することを含む。
【０１０１】
他の実現形態において、少なくとも１つのグループがネットワークデバイスがサポートするグループに属する場合、端末デバイスは、第２の構成メッセージに基づいてネットワークデバイスがサポートするグループを決定することができる。その後、端末デバイスは、ネットワークサポートするグループから目標グループを決定する。
【０１０２】
なお、端末デバイスがネットワークサポートするグループから目標グループを決定することは、端末デバイスがメンバーグループから目標グループを決定することを参照し、内容を簡潔にするために、ここでは説明を省略する。
【０１０３】
他の実現形態において、少なくとも１つのグループが既存グループに属する場合、端末デバイスは、既存グループを決定してから、既存グループから目標グループを決定することができる。
【０１０４】
任意選択で、既存グループは、ネットワークに既存されるグループと理解されてもよい。
【０１０５】
端末デバイスが既存グループを決定することは、ネットワークデバイスが端末デバイスに第１の情報を送信し、該第１の情報に既存グループの属性情報が含まれることを含む。端末デバイスが第１の情報を受信した後、既存グループの属性情報に基づいて既存グループを決定することができる。
【０１０６】
任意選択で、該第１の情報は、属性グループのメンバーの情報、例えば、メンバーの識別子情報又はアドレス情報を含んでもよい。
【０１０７】
具体的に、例として、端末デバイスがネットワークデバイスに第２の要求メッセージを送信し、ここで、該第２の要求メッセージは、ネットワークデバイスが既存グループを提供するように要求する。ネットワークデバイスは、第２の要求メッセージを受信した後、端末デバイスに既存グループを提供するかどうかを決定し、端末デバイスが既存グループを提供する場合、端末デバイスに第１の情報を送信する。
【０１０８】
任意選択で、ネットワークデバイスが端末デバイスに既存グループを提供すると決定することは、ネットワークデバイスが端末デバイスがグループ情報に対する検索の権利を有するかどうかを決定し、又は、
ネットワークデバイスが既存グループの現在のメンバー数が最大値に達すかと決定し、又は、
ネットワークデバイスが現在に既存グループを有するかどうかを決定することを含む。
【０１０９】
端末デバイスがグループ情報の検索の権利を有し、又は、既存グループの現在のメンバー数が最大値に達せず、又は、現在の既存グループを有する場合、ネットワークデバイスが端末デバイスに既存グループを提供すると決定する。
【０１１０】
一方、ネットワークデバイスが端末デバイスに既存グループを提供することを拒否し、端末デバイスに第４の情報を送信し、ここで、第４の情報には、ネットワークデバイスが端末デバイスに既存グループを提供することを拒否する理由が含まれる。例えば、端末デバイスがグループ情報に対する検索の権利がないことである。
【０１１１】
他の例として、端末デバイスがネットワークデバイスに第３の要求メッセージを送信し、該第３の要求メッセージには、端末デバイスが要求するネットワークデバイスが提供するグループの属性情報が含まれる。ネットワークデバイスは、第３の要求メッセージを受信した後、端末デバイスに既存グループを提供するかどうかを決定し、端末デバイスに既存グループを提供すると決定する場合、端末デバイスに第１の情報を送信する。
【０１１２】
任意選択で、該第１の情報は、端末デバイスが要求するグループが存在するかどうかを指示する。
【０１１３】
他の例として、ネットワークデバイスが端末デバイスに第１の情報を能動的に送信することができる。
【０１１４】
任意選択で、ネットワークデバイスは、端末デバイスに対し、常に第１の情報を送信してもよく、予め設定された周期で第１の情報を送信してもよい。例えば、ネットワークデバイスは、３ｍｓ毎に端末デバイスに第１の情報を送信してもよい。
【０１１５】
任意選択で、ネットワークデバイスは、ブロードキャストで端末デバイスに第１の情報を送信する。
【０１１６】
任意選択で、ネットワークデバイスは、端末デバイスの登録時やセッション確立時に、端末デバイスの契約情報に基づいて端末デバイスのメンバーグループの情報を端末デバイスに提供してもよい。例えば、端末デバイスのメンバーグループがあるかどうか、グループの属性情報などである。
【０１１７】
端末デバイスは、既存グループを決定した後、既存グループから目標グループを決定することができる。
【０１１８】
なお、端末デバイスが既存グループから目標グループを決定することは、端末デバイスがメンバーグループから目標グループを決定することを参照し、ここで説明を省略する。
【０１１９】
他の実現形態において、少なくとも１つのグループが端末デバイスが参加を希望するグループに属する場合、図５に示すように、端末デバイスがネットワークデバイスに第４の要求メッセージを送信し、該第４の要求メッセージに端末デバイスが参加を希望するグループの属性情報が含まれる。
【０１２０】
ネットワークデバイスは、第４の要求メッセージを受信した後、端末デバイスが参加を希望するグループから、目標グループを決定することができる。
【０１２１】
例として、ネットワークデバイスは、端末デバイスの契約情報、端末デバイスが参加を希望するグループの作成する時の構成メッセージ、及び端末デバイスが参加を希望するグループの識別子情報及び／又は属性情報のうちの少なくとも１つに基づいて、目標グループを決定することができる。
【０１２２】
任意選択で、ネットワークデバイスは、端末デバイスの契約情報、及び／又は、端末デバイスが参加を希望するグループの作成する時の構成メッセージに基づいて、メンバーグループを決定する。その後、ネットワークデバイスは、メンバーグループを目標グループとして決定することができる。
【０１２３】
すなわち、ネットワークデバイスが端末デバイスがあるグループのメンバーであるかどうかを判断し、そうである場合、ネットワークデバイスが該グループを目標グループとして決定することができる。
【０１２４】
例えば、端末デバイスが参加を希望するグループがグループ１、グループ２及びグループ３であり、端末デバイスがグループ２及びグループ３のメンバーである場合、ネットワークデバイスがグループ２及びグループ３を目標グループとして決定することができる。
【０１２５】
他の例として、ネットワークデバイスは、端末デバイスが参加を希望するグループから、ネットワークデバイスがサポートするグループを目標グループとして決定することができる。
【０１２６】
例えば、端末デバイスが参加を希望するグループがグループ１、グループ２及びグループ３であり、ネットワークデバイスがサポートするグループがグループ１及びグループ４である場合、ネットワークデバイスがグループ１を目標グループとして決定する。
【０１２７】
他の例として、ネットワークデバイスが第１のデバイスに第４の情報を送信し、該第４の情報には端末デバイスが参加を希望するグループの属性情報が含まれる。第１のデバイスは、第４の情報を受信した後、該属性情報に基づいて目標グループを決定することができる。
【０１２８】
第１のデバイスが目標グループを決定した後、ネットワークデバイスに第３のフィードバック情報を送信し、第３のフィードバック情報に目標グループの属性情報が含まれる。
【０１２９】
なお、本願の実施例において、第１のデバイスがネットワークデバイスと同様の方式で目標グループを決定してもよく、ここで説明を省略する。
【０１３０】
その後、ネットワークデバイスが端末デバイスに第１のフィードバック情報を送信し、該第１のフィードバック情報に目標グループの属性情報が含まれる。端末デバイスが第１のフィードバック情報を受信した後、目標グループの属性情報に基づいて目標グループを決定することができる。
【０１３１】
他の実現形態において、少なくとも１つのグループが第１のデバイスの希望する端末デバイスの参加するグループに属する場合、第１のデバイスがネットワークデバイスに第６の要求メッセージを送信し、ここで、該第６の要求メッセージには、端末デバイスの識別子情報又はアドレス情報、第１のデバイスが希望する端末デバイスが参加するグループの属性情報、及び第１のデバイスの識別子情報又はアドレス情報が含まれる。
【０１３２】
ネットワークデバイスは、第６の要求メッセージを受信した後、第１のデバイスが端末デバイスが第１のデバイスの希望する端末デバイスの参加するグループを参加することを要求する権利が有するかどうかを検証する。
【０１３３】
任意選択で、第１のデバイスが端末デバイスが第１のデバイスの希望する端末デバイスの参加するグループを参加することを要求する権利を有するかどうかを検証することは、第１のデバイスがグループの管理者又は作成者であるかどうかを検証することを含む。
【０１３４】
第１のデバイスが端末デバイスが第１のデバイスの希望する端末デバイスの参加するグループを参加することを要求する権利がある場合、第１のデバイスは、端末デバイスが第１のデバイスの希望する端末デバイスの参加するグループを参加することを要求する。
【０１３５】
一方、第１のデバイスは、端末デバイスが第１のデバイスの希望する端末デバイスの参加するグループを参加することを要求することができない。
【０１３６】
第１のデバイスが端末デバイスが第１のデバイスの希望する端末デバイスの参加するグループを参加することを要求する場合、ネットワークデバイスが端末デバイスに第２の情報を送信し、該第２の情報には、第１のデバイスが希望する端末デバイスが参加するグループの属性情報が含まれる。
【０１３７】
任意選択で、第２の情報に、さらに、第１のデバイスの識別子情報又はアドレス情報が含まれる。
【０１３８】
端末デバイスは、第２の情報を受信した後、希望するグループの属性情報に基づいて、第１のデバイスが希望する端末デバイスが参加するグループを決定することができる。そして、第１のデバイスが希望する端末デバイスが参加するグループから、目標グループを決定する。
【０１３９】
任意選択で、端末デバイスが目標グループを決定した後、ネットワークデバイスにフィードバック情報を送信し、該フィードバック情報に目標グループの属性情報が含まれる。ネットワークデバイスは、該フィードバック情報を受信した後、第１のデバイスに該フィードバック情報を送信する。
【０１４０】
任意選択で、該方法は、さらに、端末デバイスが第１のデバイスからの要求を受けない場合、第１のデバイスが希望する端末デバイスが参加するグループに参加することを拒否する。
【０１４１】
任意選択で、本願の実施例において、端末デバイスが目標グループを決定した後又は目標グループを決定する同時に、目標グループに参加する。
【０１４２】
具体的に、例として、端末デバイスがネットワークデバイスに参加情報を送信し、該参加情報は、目標グループの参加を要求するために使用される。ネットワークデバイスは、参加情報を受信した後、端末デバイスに第２のフィードバック情報を送信する。端末デバイスは、第２のフィードバック情報を受信した後、目標グループに参加することができる。
【０１４３】
任意選択で、参加情報には、端末デバイスの識別子情報及び目標グループの属性情報が含まれる。
【０１４４】
他の例として、端末デバイスは、目標グループに基づいて、セッション接続を確立することができる。
【０１４５】
任意選択で、端末デバイスがセッション接続の確立を要求してもよく、ネットワークデバイスが端末デバイスがセッション接続を確立するように指示してもよく、この時、ネットワークデバイスは、該セッションに接続されるアドレス情報を端末デバイスに送信してもよい。端末デバイスは、該セッションに接続されるアドレス情報を受信した後、セッション接続を確立することができる。
【０１４６】
任意選択で、本願の実施例は、さらに、ネットワークデバイスが端末デバイスに第３の情報を送信し、該第３の情報に端末デバイスが離脱する目標グループの属性情報が含まれることを含む。
【０１４７】
図６に示すように、端末デバイスが目標グループの離脱を能動に要求してもよく、第１のデバイスが端末デバイスが目標グループから離脱するように要求してもよい。
【０１４８】
例として、端末デバイスが目標グループの離脱を能動に要求する場合、具体的に、端末デバイスがネットワークデバイスに第５の要求メッセージを送信し、該第５の要求メッセージには、端末デバイスが離脱を要求する目標グループの識別子情報が含まれる。
【０１４９】
ネットワークデバイスは、第５の要求メッセージを受信した後、端末デバイスが目標グループから離脱することができるかどうかを決定する。任意選択で、ネットワークデバイスは、端末デバイスが目標グループから離脱する権利を有するかどうかを決定し、又は、ネットワークデバイスが端末デバイスが目標グループから離脱することを許可するかどうかを決定する。
【０１５０】
端末デバイスが目標グループから離脱することができる場合、ネットワークデバイスが端末デバイスに第３の情報を送信する。
【０１５１】
他の例として、第１のデバイスは、端末デバイスが目標グループから離脱することを要求する場合、具体的に、ネットワークデバイスに第６の要求メッセージを送信し、該第６の要求メッセージには、端末デバイスの識別子情報、及び第１のデバイスが要求する端末デバイスが離脱する目標グループの属性情報が含まれる。
【０１５２】
ネットワークデバイスが第６の要求メッセージを受信した後、第１のデバイスが端末デバイスが目標グループから離脱することを要求するかどうかを決定する。任意選択で、第１のデバイスが端末デバイスが目標グループから離脱することを要求するかどうかは、第１のデバイスが端末デバイスが目標グループから離脱することを要求する権利を有するかどうか、又は、第１のデバイスがグループの作成者又は管理者であるかどうかを含む。
【０１５３】
第１のデバイスが端末デバイスが目標グループから離脱することを要求することができる場合、ネットワークデバイスが端末デバイスに第３の情報を送信する。端末デバイスが第３の情報を受信した後、目標グループから離脱するかどうかを決定する。
【０１５４】
任意選択で、該方法は、さらに、端末デバイスは、目標グループから離脱しない場合、ネットワークデバイスに第２のフィードバック情報を送信し、ここで、第２のフィードバック情報には、端末デバイスが離脱しない目標グループの属性情報が含まれる。
【０１５５】
任意選択で、端末デバイスは、現在に目標グループでネットワーク側と通信している場合、目標グループから離脱しない。
【０１５６】
本願の実施例では、端末デバイスは、少なくとも１つのグループに分けられ、端末デバイスは、少なくとも１つのグループから目標グループを決定し参加することで、ネットワークの精細な管理を実現することができる。
【０１５７】
なお、本願の様々な実施例において、上記のプロセスの番号の大きさは、実行順序の先後を意味するものではなく、プロセスの実行順序は、その機能的および内因性の論理的に決定されるべきであり、本願の実施例の実施プロセスを限定するものではない。
【０１５８】
以上、本願の実施例による通信方法を詳述したが、以下、図６乃至図８を参照して、本願の実施例による通信デバイスを説明し、方法の実施例に記述された技術的特徴は、以下の装置の実施例に適用される。図７に示すように、末デバイス７００は、処理ユニット７１０を含み。
【０１５９】
処理ユニット７１０は、目標グループを決定するように構成され、
処理ユニット７１０は、目標グループに参加してネットワーク側と通信するように構成される。
【０１６０】
任意選択で、本願の実施例において、処理ユニット７１は、具体的に、少なくとも１つのグループの属性情報に基づいて、少なくとも１つのグループから目標グループを決定するように構成される。
【０１６１】
任意選択で、本願の実施例において、属性情報は、グループの識別子情報、グループの規模情報、グループの外部ネットワークサーバー情報、グループのネットワークスライス情報、グループのＱｏＳ情報、グループの周波数帯域情報、グループのセキュリティレベル情報及びグループの現在容量情報のうちの少なくとも１つを含む。
【０１６２】
任意選択で、本願の実施例において、端末デバイス７００は、さらに、通信ユニット７２０を含み、通信ユニット７２０は、ネットワークデバイスにより送信された指示情報を受信するように構成され、指示情報が目標グループを示す。
【０１６３】
任意選択で、本願の実施例において、処理ユニット７１０は、具体的に、端末デバイス７００のメンバーグループを決定し、メンバーグループから目標グループを決定するように構成される。
【０１６４】
任意選択で、本願の実施例において、端末デバイス７００は、さらに、通信ユニット７２０を含み、通信ユニット７２０は、ネットワークデバイスに第１の要求メッセージを送信するように構成され、第１の要求メッセージに端末デバイスが要求するグループの属性情報が含まれ、
通信ユニット７２０は、さらに、ネットワークデバイスにより送信された第１の構成メッセージを受信するように構成され、第１の構成メッセージにメンバーグループの属性情報が含まれ、
処理ユニット７１０は、具体的に、メンバーグループの属性情報に基づいてメンバーグループを決定するように構成される。
【０１６５】
任意選択で、本願の実施例において、端末デバイス７００は、さらに、通信ユニット７２０を含み、通信ユニット７２０は、ネットワークデバイスにより送信された第１の情報を受信するように構成され、第１の情報に既存グループの属性情報が含まれ、
処理ユニット７１０は、具体的に、既存グループの属性情報に基づいて、既存グループを決定し、既存グループから目標グループを決定するように構成される。
【０１６６】
任意選択で、本願の実施例において、通信ユニット７２０は、さらに、ネットワークデバイスに第２の要求メッセージを送信するように構成され、第２の要求メッセージは、ネットワークデバイスが既存グループを提供するように要求するために使用される。
【０１６７】
任意選択で、本願の実施例において、通信ユニット７２０は、さらに、ネットワークデバイスに第３の要求メッセージを送信するように構成され、第３の要求メッセージには、端末デバイス７００が要求するネットワークデバイスが提供するグループの属性情報が含まれる。
【０１６８】
任意選択で、本願の実施例において、端末デバイス７００は、さらに、通信ユニット７２０を含み、通信ユニット７２０は、ネットワークデバイスに第４の要求メッセージを送信するように構成され、第４の要求メッセージには、端末デバイス７００が参加を希望するグループの属性情報が含まれ、
通信ユニット７２０は、さらに、ネットワークデバイスにより送信された第１のフィードバック情報を受信するように構成され、第１のフィードバック情報に目標グループの属性情報が含まれ、
処理ユニット７１０は、具体的に、目標グループの属性情報に基づいて目標グループを決定するように構成される。
【０１６９】
任意選択で、本願の実施例において、端末デバイス７００が、さらに、通信ユニット７２０を含み、通信ユニット７２０は、ネットワークデバイスにより送信された第２の情報を受信するように構成され、第２の情報には、第１のデバイスが希望する端末デバイスが参加するグループの属性情報が含まれ、
処理ユニット７１０は、具体的に、第１のデバイスが希望する端末デバイス７００が参加するグループの属性情報に基づいて、第１のデバイスが希望する端末デバイス７００が参加するグループを決定し、第１のデバイスが希望する端末デバイス７００が参加するグループから目標グループを決定するように構成される。
【０１７０】
任意選択で、本願の実施例において、通信ユニット７２０は、さらに、ネットワークデバイスにフィードバック情報を送信するように構成され、フィードバック情報に目標グループの識別子情報が含まれる。
【０１７１】
任意選択で、本願の実施例において、第１のデバイスは、グループの管理者又は作成者である。
【０１７２】
任意選択で、本願の実施例において、処理ユニット７１０は、具体的に、第２の構成メッセージに基づいて、ネットワークデバイスがサポートするグループを決定し、第２の構成メッセージは、ネットワークデバイスにより端末デバイス７００に送信され、又は、構成メッセージは、端末デバイス７００に予め構成され、ネットワークデバイスがサポートするグループから目標グループを決定するように構成される。
【０１７３】
任意選択で、本願の実施例において、端末デバイス７００が通信ユニット７２０をさらに含み、通信ユニット７２０は、ネットワークデバイスに参加情報を送信し、参加情報は、目標グループに参加するように要求するために使用され、参加情報には、端末デバイス７００の識別子情報及び目標グループの属性情報が含まれ、
通信ユニット７２０は、さらに、ネットワークデバイスが参加情報に対する第２のフィードバック情報を受信するように構成される。
【０１７４】
任意選択で、本願の実施例において、処理ユニット７１０は、具体的に、目標グループに基づいてセッション接続を確立するように構成される。
【０１７５】
任意選択で、本願の実施例において、端末デバイス７００が、通信ユニット７２０をさらに含み、通信ユニット７２０は、ネットワークデバイスにより送信された第３の情報を受信するように構成され、第３の情報には、端末デバイス７００が離脱する目標グループの属性情報が含まれ、
処理ユニット７１０は、さらに、目標グループの属性情報に基づいて目標グループから離脱するかどうかを決定するように構成される。
【０１７６】
任意選択で、本願の実施例において、通信ユニット７２０は、さらに、ネットワークデバイスに第５の要求メッセージを送信するように構成され、第５の要求メッセージには、端末デバイス７００が離脱を要求する目標グループの識別子情報が含まれる。
【０１７７】
任意選択で、本願の実施例において、通信ユニット７２０は、さらに、端末デバイス７００が目標グループから離脱しない場合、ネットワークデバイスに第２のフィードバック情報を送信するように構成され、第２のフィードバック情報には、端末デバイス７００が離脱しない目標グループの属性情報が含まれる。
【０１７８】
任意選択で、本願の実施例において、ネットワークデバイスは、コアネットワークデバイス又はアクセスネットワークデバイスである。
【０１７９】
任意選択で、本願の実施例において、端末デバイス７００と前記ネットワークデバイスとの間のメッセージは、端末デバイス７００とネットワークデバイスとのインターフェースにより伝送され、又は、端末デバイス７００とネットワークデバイスとの間のメッセージは、他のネットワークインターフェースにより転送される。
【０１８０】
なお、該端末デバイス７００は方法２００における端末デバイスに対応し、該方法２００における端末デバイスの相応の操作を実現することができ、簡潔にするために、ここでは詳しい説明を省略する。
【０１８１】
図８は本願の実施例におけるネットワークデバイス８００のブロック図を示す。図８に示すように、該ネットワークデバイス８００は、通信ユニット８１０を含み、
通信ユニット８１０は、端末デバイスに指示情報を送信し、指示情報は、端末デバイスが目標グループを決定するために使用され、
通信ユニット８１０は、さらに、端末デバイスにより送信された参加情報を受信し、参加情報は、目標グループに参加するように要求し、参加情報には、端末デバイスの識別子情報及び目標グループの属性情報が含まれ、
通信ユニット８１０は、さらに、参加情報に対して、端末デバイスに第２のフィードバック情報を送信するように構成される。
【０１８２】
任意選択で、本願の実施例において、通信ユニット８１０は、具体的に、端末デバイスにより送信された第１の要求メッセージを受信するように構成され、第１の要求メッセージには、端末デバイスが要求するグループの属性情報が含まれ、
ネットワークデバイス８００が処理ユニット８２０をさらに含み、処理ユニット８２０は、端末デバイスの契約情報及び／又はネットワークデバイス８００がサポートするグループに基づいて、端末デバイスが要求するグループから端末デバイスのメンバーグループを決定するように構成され、
通信ユニット８１０は、具体的に、端末デバイスに指示情報を送信するように構成され、指示情報にメンバーグループの識別子情報が含まれる。
【０１８３】
任意選択で、本願の実施例において、属性情報は、グループの識別子情報、グループの規模情報、グループの外部ネットワークサーバー情報、グループのネットワークスライス情報、グループのＱｏＳ情報、グループの周波数帯域情報、グループのセキュリティレベル情報及びグループの現在容量情報のうちの少なくとも１つを含む。
【０１８４】
任意選択で、本願の実施例において、通信ユニット８１０は、具体的に、端末デバイスに前記指示情報を送信するように構成され、指示情報に既存グループの識別子情報が含まれる。
【０１８５】
任意選択で、本願の実施例において、ネットワークデバイス８００が処理ユニット８２０をさらに含み、処理ユニット８２０は、端末デバイスに既存グループの属性情報を提供するかどうかを検証するように構成され、
通信ユニット８１０は、具体的に、ネットワークデバイス８００が端末デバイスに既存グループの属性情報を提供すると決定する場合、端末デバイスが指示情報を送信する。
【０１８６】
任意選択で、本願の実施例において、処理ユニット８２０は、具体的に、端末デバイスがグループの属性情報の検索の権利を有するかどうかを検証するように構成される。
【０１８７】
任意選択で、本願の実施例において、通信ユニット８１０は、さらに、端末デバイスにより送信された第２の要求メッセージを受信するように構成され、第２の要求メッセージは、ネットワークデバイス８００が前記既存グループを提供するように要求するために使用される。
【０１８８】
任意選択で、本願の実施例において、通信ユニット８１０は、さらに、端末デバイスにより送信された第３の要求メッセージを受信するように構成され、第３の要求メッセージには、端末デバイスが要求するネットワークデバイス８００が提供するグループの属性情報が含まれる。
【０１８９】
任意選択で、本願の実施例において、指示情報は、端末デバイスが要求するネットワークデバイス８００が提供するグループが存在するかどうかを指示する。
【０１９０】
任意選択で、本願の実施例において、通信ユニット８１０は、さらに、ネットワークデバイス８００が端末デバイスに既存グループの属性情報を提供すること拒否する場合、端末デバイスに第４の情報を送信し、第４の情報には、ネットワークデバイス８００が端末デバイスに既存グループの属性情報を提供することを拒否する理由が含まれる。
【０１９１】
任意選択で、本願の実施例において、通信ユニット８１０は、具体的に、端末デバイスにより送信された第４の要求メッセージを受信するように構成され、第４の要求メッセージには、端末デバイスが参加を希望するグループの属性情報が含まれｒ、
ネットワークデバイス８００は、さらに、処理ユニット８２０を含み、処理ユニット８２０は、端末デバイスが参加を希望するグループから目標グループを決定するように構成され、
通信ユニット８１０は、具体的に、端末デバイスに指示情報を送信するように構成され、指示情報に目標グループの属性情報が含まれる。
【０１９２】
任意選択で、本願の実施例において、処理ユニット８２０は、具体的に、端末デバイスの契約情報、端末デバイスが参加を希望するグループの構成メッセージ、及び端末デバイスが参加を希望するグループの属性情報のうちの少なくとも１つに基づいて、目標グループを決定するように構成される。
【０１９３】
任意選択で、本願の実施例において、通信ユニット８１０は、具体的に、第１のデバイスに第４の情報を送信するように構成され、第４の情報には端末デバイスが参加を希望するグループの属性情報が含まれ、第１のデバイスがグループの管理者又は作成者であり、第１のデバイスが第４の情報に対して送信した第３のフィードバック情報を受信し、第３のフィードバック情報に目標グループの属性情報が含まれる。
【０１９４】
任意選択で、本願の実施例において、通信ユニット８１０は、具体的に、第１のデバイスにより送信された第６の要求メッセージを受信するように構成され、第６の要求メッセージには、端末デバイスの属性情報、第１のデバイスが希望する端末デバイスが参加するグループの属性情報及び第１のデバイスの属性情報が含まれ、第１のデバイスがグループの管理者又は作成者であり、
ネットワークデバイス８００が処理ユニットをさらに含み、処理ユニットは、第１のデバイスが端末デバイスが第１のデバイスの希望する端末デバイスの参加するグループを参加することを要求する権利を有するかどうかを検証するように構成され、
通信ユニット８１０は、具体的に、第１のデバイスが権利を有する場合、端末デバイスに指示情報を送信するように構成され、指示情報には、第１のデバイスが希望する端末デバイスが参加するグループの属性情報が含まれる。
【０１９５】
任意選択で、本願の実施例において、通信ユニット８１０は、さらに、端末デバイスにより送信されたフィードバック情報を受信し、フィードバック情報に目標グループの属性情報が含まれ、第１のデバイスにフィードバック情報を送信するように構成される。
【０１９６】
任意選択で、本願の実施例において、通信ユニット８１０は、具体的に、端末デバイスに指示情報を送信するように構成され、指示情報にネットワークデバイス８００がサポートするグループが含まれる。
【０１９７】
任意選択で、本願の実施例において、通信ユニット８１０は、さらに、端末デバイスに第３の情報を送信するように構成され、第３の情報に端末デバイスが離脱する目標グループの属性情報が含まれる。
【０１９８】
任意選択で、本願の実施例において、通信ユニット８１０は、さらに、端末デバイスにより送信された第５の要求メッセージを受信するように構成され、第５の要求メッセージには、端末デバイスが離脱を要求する目標グループの属性情報が含まれる。
【０１９９】
任意選択で、本願の実施例において、通信ユニット８１０は、具体的に、第１のデバイスにより送信された第６の要求メッセージを受信するように構成され、第６の要求メッセージには、端末デバイスの属性情報、及び第１のデバイスが要求する端末デバイスが離脱する目標グループの属性情報が含まれ、
ネットワークデバイス８００が処理ユニット８２０をさらに含み、処理ユニット８２０は、第１のデバイスが端末デバイスが目標グループから離脱することを要求する権利を有するかどうかを決定するように構成され、
通信ユニット８１０は、具体的に、第１のデバイスが前記権利を有する場合、端末デバイスに第３の情報を送信するように構成される。
【０２００】
任意選択で、本願の実施例において、通信ユニット８１０は、さらに、端末デバイスが目標グループから離脱しない場合、端末デバイスにより送信された第２のフィードバック情報を受信するように構成され、第２のフィードバック情報には、端末デバイスが離脱しない目標グループの属性情報が含まれる。
【０２０１】
任意選択で、本願の実施例において、ネットワークデバイス８００は、コアネットワークデバイス又はアクセスネットワークデバイスである。
【０２０２】
任意選択で、本願の実施例において、ネットワークデバイス８００と端末デバイスとの間のメッセージは、ネットワークデバイス８００と端末デバイスとのインターフェースにより伝送され、又は、ネットワークデバイス８００と端末デバイスとの間のメッセージは、他のネットワークインターフェースにより転送される。
【０２０３】
なお、ネットワークデバイス８００は方法３００におけるネットワークデバイスに対応し、当該方法３００におけるネットワークデバイスの対応する動作が実現されてもよく、簡潔にするために、ここでは説明を省略する。
【０２０４】
図９は本願の実施例における通信デバイス９００のブロック図を示す。図９に示すように、該通信デバイス９００は、通信ユニット９１０を含み、
通信ユニット９１０は、ネットワークデバイスに要求メッセージを送信するように構成され、要求メッセージは、端末デバイスが目標グループを決定するために使用される。
【０２０５】
任意選択で、本願の実施例において、通信ユニット９１０は、具体的に、ネットワークデバイスに前記要求メッセージを送信するように構成され、要求メッセージには、端末デバイスの属性情報、通信デバイス９００が希望する端末デバイスが参加するグループの識別子情報及び通信デバイス９００の属性情報が含まれる。
【０２０６】
任意選択で、本願の実施例において、通信ユニット９１０は、さらに、ネットワークデバイスにより送信されたフィードバック情報を受信するように構成され、フィードバック情報に目標グループの属性情報が含まれる。
【０２０７】
任意選択で、本願の実施例において、通信ユニット９１０は、具体的に、ネットワークデバイスにより送信された、端末デバイスが参加を希望するグループの属性情報を受信するように構成され、
通信デバイス９００が処理ユニット９２０をさらに含み、処理ユニット９２０は、属性情報に基づいて目標グループを決定するように構成され、
通信ユニット９１０は、具体的に、ネットワークデバイスに要求メッセージを送信し、要求メッセージに目標グループの識別子情報が含まれる。
【０２０８】
任意選択で、本願の実施例において、通信ユニット９１０は、さらに、ネットワークデバイスに離脱メッセージを送信するよう構成され、離脱メッセージには、端末デバイスの属性情報、及び通信デバイス９００が要求する端末デバイスが離脱する目標グループの属性情報が含まれる。
【０２０９】
任意選択で、本願の実施例において、属性情報は、グループの識別子情報、グループの規模情報、グループの外部ネットワークサーバー情報、グループのネットワークスライス情報、グループのサービス品質Ｑｏｓ情報、グループの周波数帯域情報、グループのセキュリティレベル情報及びグループの現在容量情報のうちの少なくとも１つを含む。
【０２１０】
任意選択で、本願の実施例において、通信デバイス９００がグループの管理者又は作成者であり、前記通信デバイス９００が端末デバイス又はネットワークデバイスである。
【０２１１】
任意選択で、本願の実施例において、ネットワークデバイスがコアネットワークデバイス又はアクセスネットワークデバイスである。
【０２１２】
任意選択で、本願の実施例において、端末デバイスとネットワークデバイスとの間のメッセージは、端末デバイスとネットワークデバイスとのインターフェースにより伝送され、又は、端末デバイスとネットワークデバイスとの間のメッセージは、他のネットワークインターフェースにより転送される。
【０２１３】
なお、この通信デバイス９００は、方法４００における第１のデバイスに対応し、方法３００における第１のデバイスの対応する動作を実現してもよく、簡潔にするために、ここでは説明を省略する。
【０２１４】
図１０は、本願の実施例で提供される通信デバイス１０００の概略構成図である。図１０に示す通信デバイス１０００は、プロセッサ１０１０を含み、プロセッサ１０１０は、メモリからコンピュータプログラムを呼び出して実行することにより、本願の実施例における方法を実現することができる。
【０２１５】
任意選択で、図１０に示されるように、通信デバイス１０００は、メモリ１０２０も含み得る。ここで、プロセッサ１０１０は、メモリ１０２０からコンピュータプログラムを呼び出して実行することにより、本願の実施例における方法を実現することができる。
【０２１６】
ここで、メモリ１０２０は、プロセッサ１０１０とは独立した一つの別個の部品であってもよく、プロセッサ１０１０に集積されてもよい。
【０２１７】
任意選択で、図１０に示すように、通信デバイス１０００は、プロセッサ１０１０が他のデバイスと通信するように制御することができる送受信機１０３０をさらに備えることができ、特に、他のデバイスに情報又はデータを送信することができ、又は他のデバイスから送信された情報又はデータを受信することができる。
【０２１８】
ここで、送受信機１０３０は、送信機および受信機を含み得る。送受信機１０３０は、１つ以上のアンテナをさらに含むことができる。
【０２１９】
任意的に、該通信デバイス１０００は、具体的には本願の実施例の端末デバイスであってもよく、且つ該通信デバイス１０００は、本願の実施例の各方法における端末デバイスにより実現される相応のフローを実現することができ、簡潔にするために、ここでその説明を省略する。
【０２２０】
任意選択で、該通信デバイス１０００は具体的に本願の実施例のネットワークデバイスであってもよく、且つ該通信デバイス１０００は本願の実施例の各方法におけるネットワークデバイスにより実現される対応するフローを実現してもよく、簡潔にするために、ここでその説明が省略される。
【０２２１】
任意選択で、該通信デバイス１０００は具体的に本願の実施例の第１のデバイスであってもよく、且つ該第１のデバイスは本願の実施例の各方法における第１のデバイスにより実現される対応するフローを実現してもよく、簡潔にするために、ここでその説明が省略される。
【０２２２】
図１１は、本願の実施例のチップの概略構成図である。図１１に示すチップ１１００は、メモリからコンピュータプログラムを呼び出して実行することにより、本願の実施例における方法を実現するプロセッサ１１１０を含む。
【０２２３】
任意選択で、図１１に示すように、チップ１１００は、メモリ１１２０をさらに含んでもよい。プロセッサ１１１０は、メモリ１１２０からコンピュータプログラムを呼び出して実行することにより、本願の実施例における方法を実現することができる。
【０２２４】
ここで、メモリ１１２０は、プロセッサ１１１０とは独立した別個の部品であってもよく、プロセッサ１１１０に集積されていてもよい。
【０２２５】
任意選択で、チップ１１００は、入力インターフェース１１３０をさらに含むことができる。ここで、プロセッサ１１１０は、該入力インターフェース１１３０を制御して他のデバイス又はチップと通信し、具体的には、他のデバイス又はチップから送信された情報又はデータを取得することができる。
【０２２６】
任意選択で、チップ１１００は、出力インターフェース１１４０をさらに含むことができる。ここで、プロセッサ１１１０は、出力インターフェース１１４０を制御して他のデバイス又はチップと通信し、具体的には、他のデバイス又はチップに情報又はデータを出力することができる。
【０２２７】
任意選択で、該チップは、本願の実施例における端末デバイスに適用され、且つ該チップは、本願の実施例における各方法において端末デバイスにより実現される対応するフローを実現することができ、簡潔にするために、ここでその説明が省略される。
【０２２８】
任意選択で、該チップは、本願の実施例におけるネットワークデバイスに適用され、且つ該チップは、本願の実施例の各方法におけるネットワークデバイスにより実現される対応するフローを実現することができ、簡潔にするために、ここでその説明が省略される。
【０２２９】
任意選択で、該チップは、本願の実施例における第１のデバイスに適用され、且つ該チップは、本願の実施例の各方法における第１のデバイスにより実現される対応するフローを実現することができ、簡潔にするために、ここでその説明が省略される。
【０２３０】
なお、本願の実施例で言及されるチップは、システムレベルチップ、システムチップ、チップシステムまたはシステムオンチップなどと称されることもあることを理解されたい。
【０２３１】
本願の実施例のプロセッサは、信号の処理能力を有する集積回路チップであってもよい。実装において、方法の実施例における上述のステップは、プロセッサ内のハードウェアの集積論理回路またはソフトウェアの形態の命令によって達成され得る。上述したプロセッサは、汎用プロセッサ、ＤＳＰ（Ｄｉｇｉｔａｌ Ｓｉｇｎａｌ Ｐｒｏｃｅｓｓｏｒ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ Ｐｒｏｇｒａｍｍａｂｌｅ Ｇａｔｅ Ａｒｒａｙ）、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよく、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体はメモリに配置され、プロセッサは、メモリの情報を読み取り、そのハードウェアと共に、上記方法のステップを実行する。
【０２３２】
本願の実施例におけるメモリは、揮発性メモリ又は不揮発性メモリであるか、又は揮発性メモリ及び不揮発性メモリの両方を含むことができることを理解されたい。ここで、不揮発性メモリは、Ｒｅａｄ−Ｏｎｌｙ Ｍｅｍｏｒｙ、Ｐｒｏｇｒａｍｍａｂｌｅ ＲＯＭ、ＥＰＲＯＭ、Ｅｌｅｃｔｒｉｃａｌｌｙ ＥＰＲＯＭ、またはフラッシュメモリであってもよい。揮発性メモリは、外部キャッシュとして使用されるランダムアクセスメモリ(Ｒａｎｄｏｍ Ａｃｃｅｓｓ Ｍｅｍｏｒｙ、ＲＡＭ)であってもよい。限定ではなく例示として、静的ランダムアクセスメモリ(Ｓｔａｔｉｃ ＲＡＭ、ＳＲＡＭ)、動的ランダムアクセスメモリ(Ｄｙｎａｍｉｃ ＲＡＭ、ＤＲＡＭ)、シンクロナスダイナミックランダムアクセスメモリ(Ｓｙｎｃｈｒｏｎｏｕｓ ＤＲＡＭ、ＳＤＲＡＭ)、ダブルデータレートシンクロナスダイナミックランダムアクセスメモリ(Ｄｏｕｂｌｅ Ｄａｔａ Ｒａｔｅ ＳＤＲＡＭ、ＤＤＲ ＳＤＲＡＭ)、エンハンストシンクロナスダイナミックランダムアクセスメモリ(Ｅｎｈａｎｃｅｄ ＳＤＲＡＭ、ＥＳＤＲＡＭ)、シンクロナスリンクダイナミックランダムアクセスメモリ(Ｓｙｎｃｈｌｉｎｋ ＤＲＡＭ、ＳＬＤＲＡＭ)、およびダイレクトメモリバスランダムアクセスメモリ(Ｄｉｒｅｃｔ Ｒａｍｂｕｓ ＲＡＭ、ＤＲ ＲＡＭ)など、多くの形態のＲＡＭが利用可能である。本明細書で説明するシステムおよび方法のメモリは、これらおよび任意の他の適切なタイプのメモリを含むことが意図されるが、これらに限定されないことに留意されたい。
【０２３３】
なお、上述したメモリは例示的なものであって限定的なものではないが、例えば、本願の実施例におけるメモリは、ＳＲＡＭ （ ｓｔａｔｉｃ ＲＡＭ ）、ＤＲＡＭ （ ｄｙｎａｍｉｃ ＲＡＭ ）、ＳＤＲＡＭ （ ｓｙｎｃｈｒｏｎｏｕｓ ＤＲＡＭ)、ＤＤＲ （ ＤＤＲ ＳＤＲＡＭ)のダブルデータレート同期型ダイナミックランダムアクセスメモリ、ＥＳＤＲＡＭ （ ｅｎｈａｎｃｅｄ ＳＤＲＡＭ ）、ＳＬＤＲＡＭ （ ｓｙｎｃｈ ｌｉｎｋ ＤＲＡＭ)、ＤＲ ＲＡＭ （ Ｄｉｒｅｃｔ Ｒａｍｂｕｓ ＲＡＭ)等であってもよい。すなわち、本願の実施例におけるメモリは、これら及び任意の他の適切なタイプのメモリを含むことが意図されるが、これらに限定されない。
【０２３４】
図１２は、本願の実施例で提供される通信システム１２００の概略ブロック図である。図１２に示すように、通信システム１２００は、端末デバイス１２１０と、ネットワークデバイス１２２０とを有する。
【０２３５】
ここで、該端末デバイス１２１０は、上記方法において端末デバイスにより実現される相応の機能を実現するために用いられてもよく、及び該ネットワークデバイス１２２０は、上記方法においてネットワークデバイスにより実現される相応の機能を実現するために用いられてもよく、簡潔にするために、ここではその説明を省略する。
【０２３６】
図１３は、本願の実施例で提供される通信システム１３００の概略ブロック図である。図１３に示すように、通信システム１３００は、ネットワークデバイス１３１０と、ネットワークデバイス１３２０とを有する。
【０２３７】
ここで、該ネットワークデバイス１３１０は、上記方法においてネットワークデバイスにより実現される相応の機能を実現するために用いられてもよく、及び該ネットワークデバイス１３２０は、上記方法においてネットワークデバイスにより実現される相応の機能を実現するために用いられてもよく、簡潔にするために、ここではその説明を省略する。
【０２３８】
本願の実施例は、コンピュータプログラムを記憶するコンピュータ可読記憶媒体をさらに提供する。
【０２３９】
任意選択で、該コンピュータ読み取り可能な記憶媒体は、本願の実施例における端末デバイスに適用され、且つ該コンピュータプログラムは、コンピュータに、本願の実施例の各方法における端末デバイスにより実現される相応のフローを実行させ、簡潔にするために、ここではその説明を省略する。
【０２４０】
任意選択で、該コンピュータ読み取り可能な記憶媒体は、本願の実施例におけるネットワークデバイスに適用され、且つ該コンピュータプログラムは、コンピュータに、本願の実施例の各方法におけるネットワークデバイスにより実現される相応のフローを実行させ、簡潔にするために、ここではその説明を省略する。
【０２４１】
任意選択で、該コンピュータ読み取り可能な記憶媒体は、本願の実施例における第１のデバイスに適用され、且つ該コンピュータプログラムは、コンピュータに、本願の実施例の各方法における第１のデバイスにより実現される相応のフローを実行させ、簡潔にするために、ここではその説明を省略する。
【０２４２】
本願の実施例は、コンピュータプログラム命令を含むコンピュータプログラム製品をさらに提供する。
【０２４３】
任意選択で、該コンピュータプログラム製品は、本願の実施例における端末デバイスに適用され、該コンピュータプログラム命令は、コンピュータに、本願の実施例における各方法における端末デバイスにより実現される対応するフローを実行させ、簡潔にするために、ここでは説明を省略する。
【０２４４】
任意選択で、該コンピュータプログラム製品は、本願の実施例におけるネットワークデバイスに適用され、該コンピュータプログラム命令は、コンピュータに、本願の実施例の各方法におけるネットワークデバイスにより実現される対応するフローを実行させ、簡潔にするために、ここでその説明を省略する。
【０２４５】
任意選択で、該コンピュータプログラム製品は、本願の実施例における第１のデバイスに適用され、該コンピュータプログラム命令は、コンピュータに、本願の実施例の各方法における第１のデバイスにより実現される対応するフローを実行させ、簡潔にするために、ここでその説明を省略する。
【０２４６】
本願の実施例は、コンピュータプログラムをさらに提供する。
【０２４７】
任意選択で、該コンピュータプログラムは、本願の実施例における端末デバイスに適用されてもよく、該コンピュータプログラムがコンピュータ上で実行されると、コンピュータに本願の実施例の各方法における端末デバイスにより実現される対応するフローを実行させ、簡潔にするために、ここでは説明を省略する。
【０２４８】
任意選択で、該コンピュータプログラムは、本願の実施例におけるネットワークデバイスに適用されてもよく、該コンピュータプログラムがコンピュータ上で実行されると、コンピュータに本願の実施例の各方法におけるネットワークデバイスにより実現される対応するフローを実行させ、簡潔にするために、ここではその説明を省略する。
【０２４９】
任意選択で、該コンピュータプログラムは、本願の実施例における第１のデバイスに適用されてもよく、該コンピュータプログラムがコンピュータ上で実行されると、コンピュータに本願の実施例の各方法における第１のデバイスにより実現される対応するフローを実行させ、簡潔にするために、ここではその説明を省略する。
【０２５０】
当業者は、本明細書に開示された実施例に関連して説明された各例のユニット及びアルゴリズムステップが、電子ハードウェア、又はコンピュータソフトウェアと電子ハードウェアの組合せで実装され得ることを認識するであろう。これらの機能がハードウェアまたはソフトウェアのいずれの方法で実行されるかは、技術案の特定の適用例および設計制約に依存する。当業者は、説明された機能を実施するために、特定の適用例ごとに異なる方法を使用してもよいが、そのような実施は、本願の範囲から逸脱すると見なされるべきではない。
【０２５１】
当業者であれば、説明の便宜及び簡潔のために、上記説明したシステム、装置及びユニットの具体的な動作過程は、上記方法の実施例における対応する過程を参照してもよく、ここでその説明が省略されることを理解するであろう。
【０２５２】
本明細書で提供されるいくつかの実施例では、開示されるシステム、装置、および方法は、他の方法で実施され得ることを理解されたい。例えば、上述した装置の実施例は単なる例示であり、例えば、説明されたユニットの分割は、１つの論理機能の分割にすぎず、実際に実装される場合、追加の分割があってもよく、例えば、複数のユニット又は構成要素が別のシステムに結合されても、統合されてもよく、又は、一部の特徴が省略されても、実行されなくてもよい。別の点において、示された又は考察された相互の結合又は直接的な結合又は通信接続は、電気的、機械的又は他の形態の、何らかのインターフェース、装置又はユニットを介した間接的な結合又は通信接続であってもよい。
【０２５３】
前記分離手段として説明された手段は、物理的に分離されても、または分離されなくてもよく、手段として示された手段は、物理的な手段であっても、または分離されなくてもよく、すなわち、一箇所に位置してもよく、または複数のネットワーク要素に分散されてもよい。なお、この実施例の目的を達成するために、必要に応じて、その一部または全部を選択することができる。
【０２５４】
また、本願の各実施例における各機能ユニットは、１つの処理ユニットに集積されてもよく、それぞれのユニットが物理的に別個に存在してもよく、２つ以上のユニットが１つのユニットに集積されてもよい。
【０２５５】
また、これらの機能がソフトウェア機能として実現され、独立した製品として販売または利用される場合には、コンピュータ読み取り可能な記録媒体に格納されてもよい。このような理解に基づいて、本願の技術案は、本質的に、または、従来技術に貢献する部分、または、その技術案の部分を、記憶媒体に記憶されたソフトウェア製品の形態で具体化することができ、そのソフトウェア製品は、本願の各実施例で説明される方法のステップの全部または一部を、コンピュータ装置(パーソナルコンピュータ、サーバ、またはネットワークデバイスなどであってもよい)に実行させるための命令を含む。なお、前記記憶媒体としては、Ｕ−ディスク、ポータブルハードディスク、Ｒｅａｄ−Ｏｎｌｙ Ｍｅｍｏｒｙ、ＲＯＭ、Ｒａｎｄｏｍ Ａｃｃｅｓｓ Ｍｅｍｏｒｙ、ＲＡＭ、磁気ディスク、光ディスクなど種々のプログラムコードを記憶できるものを含む。
【０２５６】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲によってのみ定められるべきである。
【図１】
2021535683.tif 000003
【図２】
2021535683.tif 000004
【図３】
2021535683.tif 000005
【図４】
2021535683.tif 000006
【図５】
2021535683.tif 000007
【図６】
2021535683.tif 000008
【図７】
2021535683.tif 000009
【図８】
2021535683.tif 000010
【図９】
2021535683.tif 000011
【図１０】
2021535683.tif 000012
【図１１】
2021535683.tif 000013
【図１２】
2021535683.tif 000014
【図１３】
2021535683.tif 000015
【国際調査報告】
2021535683.tif 000016
2021535683.tif 000017
2021535683.tif 000018
2021535683.tif 000019